(57)【要約】  本開示は、上り共有チャネルのバインディング伝送を実現する伝送方法、装置、移動通信端末およびネットワーク側装置を提供する。該伝送方法は、端末が現在の物理上り共有チャネルＰＵＳＣＨを伝送するための第１開始サブフレームを決定するサブフレーム決定ステップと、バインディング伝送条件が確立された場合、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送する第１送信ステップとを含む。
2019522946.tif 000002
【特許請求の範囲】
【請求項１】
端末が、現在の物理上り共有チャネル（ＰＵＳＣＨ）を伝送するための第１開始サブフレームを決定するサブフレーム決定ステップと、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送する第１送信ステップと、
を含むことを特徴とする伝送方法。
【請求項２】
請求項１に記載の伝送方法において、
特別サブフレームの上りパイロットタイムスロットに割り当てられる物理ブロックの数Ｎ’＝α*Ｎの丸め結果で、αはズーム係数であり、Ｎは上りサブフレームに割り当てられる物理ブロックの数である
ことを特徴とする伝送方法。
【請求項３】
請求項２に記載の伝送方法において、
前記αは、上りサブフレームにおけるＰＵＳＣＨ伝送に使用可能なシンボル数と、特別サブフレームの上りパイロットタイムスロットにおけるＰＵＳＣＨ伝送に使用可能なシンボル数との比である
ことを特徴とする伝送方法。
【請求項４】
請求項２に記載の伝送方法において、
前記特別サブフレームの上りパイロットタイムスロットで前記ＰＵＳＣＨを伝送する際の送信電力はＮ’によって決定される
ことを特徴とする伝送方法。
【請求項５】
請求項１に記載の伝送方法において、
周波数領域において、特別サブフレームの上りパイロットタイムスロットにおけるＰＵＳＣＨ伝送の開始位置は、上りサブフレームにおけるＰＵＳＣＨ伝送の開始位置と同じである
ことを特徴とする伝送方法。
【請求項６】
請求項１に記載の伝送方法において、
前記第１開始サブフレームの位置は、現フレーム構造における基準サブフレームの位置および現フレーム構造のサブフレーム配置モードとによって決定される
ことを特徴とする伝送方法。
【請求項７】
請求項６に記載の伝送方法において、
前記基準サブフレームは、上り許可が位置するサブフレーム、または受信された物理ハイブリッド自動再送指示チャネルＰＨＩＣＨが位置するサブフレームである
ことを特徴とする伝送方法。
【請求項８】
請求項７に記載の伝送方法において、
前記基準サブフレームが上り許可の位置するサブフレームである場合、サブフレームの配置モード２では、現フレーム構造における前記基準サブフレームの位置はＮ１であり、前記第１開始サブフレームの位置はＮ１＋Ｋ１であり、Ｎ１が０または５の時、Ｋ１が６であり、Ｎ１が３または８のとき、Ｋ１は４であり、
または、現フレーム構造における前記基準サブフレームの位置はＮ２であり、前記第１開始サブフレームの位置はＮ２＋Ｋ２であり、Ｎ２は１または６の時、Ｋ２は５であり、Ｎ２が３または８の時、Ｋ２は４ある
ことを特徴とする伝送方法。
【請求項９】
請求項７に記載の伝送方法において、
前記基準サブフレームが、受信された物理ハイブリッド自動再送指示チャネル（ＰＨＩＣＨ）の位置するサブフレームである場合、サブフレームの配置モード２では、現フレーム構造における前記基準サブフレームの位置はＮ３−Ｌ１であり、前記第１開始サブフレームの位置はＮ３＋Ｋ３であり、Ｎ３が０または５の時、Ｌ１が２で、Ｋ３が６であり、Ｎ３が３または８の時、Ｌ１は３または０で、Ｋ３は４であり、
あるいは、現フレーム構造における前記基準サブフレームの位置はＮ４−Ｌ２であり、前記第１開始サブフレームの位置はＮ４＋Ｋ４であり、Ｎ４が１または６の時、Ｌ２が３で、Ｋ４が５であり、Ｎ４が３または８の時、Ｌ２は３または０で、Ｋ４は４である
ことを特徴とする伝送方法。
【請求項１０】
請求項７に記載の伝送方法において、
前記基準サブフレームが上り許可の位置するサブフレームである場合、サブフレームの配置モード３では、現フレーム構造における前記基準サブフレームの位置はＮ５であり、前記第１開始サブフレームの位置はＮ５＋Ｋ５であり、Ｎ５が０、７、８または９の時、Ｋ５が４である
ことを特徴とする伝送方法。
【請求項１１】
請求項７に記載の伝送方法において、
前記基準サブフレームが、受信された物理ハイブリッド自動再送指示チャネル（ＰＨＩＣＨ）の位置するサブフレームである場合、サブフレームの配置モード３では、現フレーム構造における前記基準サブフレームの位置はＮ６−Ｌ３であり、前記第１開始サブフレームの位置はＮ６＋Ｋ６であり、Ｎ６が０または９の時、Ｌ３が１で、Ｋ６が４であり、Ｎ６が７の時、Ｌ３は７で、Ｋ６は４であり、Ｎ６が８の時、Ｌ３は０で、Ｋ６は４であり、
あるいは、現フレーム構造における前記基準サブフレームの位置はＮ７−Ｌ４であり、前記第１開始サブフレームの位置はＮ７＋Ｋ７であり、Ｎ７が０または９の時、Ｌ４が１で、Ｋ７が４であり、Ｎ７が７の時、Ｌ４は７で、Ｋ７は４であり、Ｎ７が８の時、Ｌ４は３または１で、Ｋ７は４である
ことを特徴とする伝送方法。
【請求項１２】
請求項１〜１１のいずれか1項に記載の伝送方法において、
第１送信ステップで伝送された前記ＰＵＳＣＨの対応する物理ハイブリッド自動再送指示チャネル（ＰＨＩＣＨ）を第２開始サブフレームにて受信する第１受信ステップを含む
ことを特徴とする伝送方法。
【請求項１３】
請求項１２に記載の伝送方法において、
前記第２開始サブフレームの位置は、現フレーム構造における前記バインディングされた複数のサブフレームのうち最後のサブフレームの位置、および前記現フレーム構造のサブフレーム配置モードに従って決定される
ことを特徴とする伝送方法。
【請求項１４】
請求項１３に記載の伝送方法において、
サブフレームの配置モード２では、現フレーム構造における前記最後のサブフレームの位置がＮ８であり、前記第２開始サブフレームの位置がＮ８＋Ｋ８であり、Ｎ８が１または６の時、Ｋ８は４または７であり、Ｎ８が２または７の時、Ｋ８は６である
ことを特徴とする伝送方法。
【請求項１５】
請求項１３に記載の伝送方法において、
サブフレームの配置モード３では、現フレーム構造における前記最後のサブフレームの位置がＮ９であり、前記第２開始サブフレームの位置がＮ９＋Ｋ９であり、Ｎ９が１の時、Ｋ９は７であり、Ｎ９が２、３または４の時、Ｋ９は６であり、
または、現フレーム構造における前記最後のサブフレームの位置がＮ１０であり、前記第２開始サブフレームの位置がＮ１０＋Ｋ１０であり、Ｎ１０が１の時、Ｋ１０は６または４であり、Ｎ１０が２、３または４の時、Ｋ１０は６である
ことを特徴とする伝送方法。
【請求項１６】
請求項１〜１１のいずれか1項に記載の伝送方法において、
ハイブリッド自動再送請求（ＨＡＲＱ）のプロセスの数が２である
ことを特徴とする伝送方法。
【請求項１７】
ネットワーク側の受信端末が、バインディング伝送条件が確立された場合、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送する第２受信ステップを、
含むことを特徴とする伝送方法。
【請求項１８】
請求項１７に記載の伝送方法において、
特別サブフレームの上りパイロットタイムスロットに割り当てられる物理ブロックの数Ｎ’＝α*Ｎの丸め結果で、αはズーム係数であり、Ｎは上りサブフレームに割り当てられる物理ブロックの数である
ことを特徴とする伝送方法。
【請求項１９】
請求項１８に記載の伝送方法において、
前記αは、上りサブフレームにおけるＰＵＳＣＨ伝送に使用可能なシンボル数と、特別サブフレームの上りパイロットタイムスロットにおけるＰＵＳＣＨ伝送に使用可能なシンボル数との比である
ことを特徴とする伝送方法。
【請求項２０】
請求項１８に記載の伝送方法において、
前記特別サブフレームの上りパイロットタイムスロットで前記ＰＵＳＣＨを伝送する際の送信電力はＮ’によって決定される
ことを特徴とする伝送方法。
【請求項２１】
請求項１７に記載の伝送方法において、
周波数領域において、特別サブフレームの上りパイロットタイムスロットにおけるＰＵＳＣＨ伝送の開始位置は、上りサブフレームにおけるＰＵＳＣＨ伝送の開始位置と同じである
ことを特徴とする伝送方法。
【請求項２２】
請求項１７に記載の伝送方法において、
前記第１開始サブフレームの位置は、現フレーム構造における基準サブフレームの位置および現フレーム構造のサブフレーム配置モードとによって決定される
ことを特徴とする伝送方法。
【請求項２３】
請求項２２に記載の伝送方法において、
前記基準サブフレームは、上り許可が位置するサブフレーム、または前回送信された物理ハイブリッド自動再送指示チャネル（ＰＨＩＣＨ）が位置するサブフレームである
ことを特徴とする伝送方法。
【請求項２４】
請求項２３に記載の伝送方法において、
前記基準サブフレームが上り許可の位置するサブフレームである場合、サブフレームの配置モード２では、現フレーム構造における前記基準サブフレームの位置はＮ１であり、前記第１開始サブフレームの位置はＮ１＋Ｋ１であり、Ｎ１が０または５の時、Ｋ１が６であり、Ｎ１が３または８のとき、Ｋ１は４であり、
または、現フレーム構造における前記基準サブフレームの位置はＮ２であり、前記第１開始サブフレームの位置はＮ２＋Ｋ２であり、Ｎ２は１または６の時、Ｋ２は５であり、Ｎ２が３または８の時、Ｋ２は４である
ことを特徴とする伝送方法。
【請求項２５】
請求項２３に記載の伝送方法において、
前記基準サブフレームが、前回送信された物理ハイブリッド自動再送指示チャネル（ＰＨＩＣＨ）の位置するサブフレームである場合、サブフレームの配置モード２では、現フレーム構造における前記基準サブフレームの位置はＮ３−Ｌ１であり、前記第１開始サブフレームの位置はＮ３＋Ｋ３であり、Ｎ３が０または５の時、Ｌ１が２で、Ｋ３が６であり、Ｎ３が３または８の時、Ｌ１は３または０で、Ｋ３は４であり、
あるいは、現フレーム構造における前記基準サブフレームの位置はＮ４−Ｌ２であり、前記第１開始サブフレームの位置はＮ４＋Ｋ４であり、Ｎ４が１または６の時、Ｌ２が３で、Ｋ４が５であり、Ｎ４が３または８の時、Ｌ２は３または０で、Ｋ４は４である
ことを特徴とする伝送方法。
【請求項２６】
請求項２３に記載の伝送方法において、
前記基準サブフレームが上り許可の位置するサブフレームである場合、サブフレームの配置モード３では、現フレーム構造における前記基準サブフレームの位置はＮ５であり、前記第１開始サブフレームの位置はＮ５＋Ｋ５であり、Ｎ５が０、７、８または９の時、Ｋ５が４である
ことを特徴とする伝送方法。
【請求項２７】
請求項２３に記載の伝送方法において、
前記基準サブフレームが、前回送信された物理ハイブリッド自動再送指示チャネル（ＰＨＩＣＨ）の位置するサブフレームである場合、サブフレームの配置モード３では、現フレーム構造における前記基準サブフレームの位置はＮ６−Ｌ３であり、前記第１開始サブフレームの位置はＮ６＋Ｋ６であり、Ｎ６が０または９の時、Ｌ３が１で、Ｋ６が４であり、Ｎ６が７の時、Ｌ３は７で、Ｋ６は４であり、Ｎ６が８の時、Ｌ３は０で、Ｋ６は４であり、
あるいは、現フレーム構造における前記基準サブフレームの位置はＮ７−Ｌ４であり、前記第１開始サブフレームの位置はＮ７＋Ｋ７であり、Ｎ７が０または９の時、Ｌ４が１で、Ｋ７が４であり、Ｎ７が７の時、Ｌ４は７で、Ｋ７は４であり、Ｎ７が８の時、Ｌ４は３または１で、Ｋ７は４である
ことを特徴とする伝送方法。
【請求項２８】
請求項１７〜２７のいずれか1項に記載の伝送方法において、
前記第２受信ステップで受信された前記ＰＵＳＣＨに対応する物理ハイブリッド自動再送指示チャネル（ＰＨＩＣＨ）を第２開始サブフレームにて送信する第２送信ステップをさらに含む
ことを特徴とする伝送方法。
【請求項２９】
請求項２８に記載の伝送方法において、
前記第２開始サブフレームの位置は、現フレーム構造における前記バインディングされた複数のサブフレームのうち最後のサブフレームの位置、および前記現フレーム構造のサブフレーム配置モードに従って決定される
ことを特徴とする伝送方法。
【請求項３０】
請求項２９に記載の伝送方法において、
サブフレームの配置モード２では、現フレーム構造における前記最後のサブフレームの位置がＮ８であり、前記第２開始サブフレームの位置がＮ８＋Ｋ８であり、Ｎ８が１または６の時、Ｋ８は４または７であり、Ｎ８が２または７の時、Ｋ８は６である
ことを特徴とする伝送方法。
【請求項３１】
請求項２９に記載の伝送方法において、
サブフレームの配置モード３では、現フレーム構造における前記最後のサブフレームの位置がＮ９であり、前記第２開始サブフレームの位置がＮ９＋Ｋ９であり、Ｎ９が１の時、Ｋ９は７であり、Ｎ９が２、３または４の時、Ｋ９は６であり、
または、現フレーム構造における前記最後のサブフレームの位置がＮ１０であり、前記第２開始サブフレームの位置がＮ１０＋Ｋ１０であり、Ｎ１０が１の時、Ｋ１０は６または４であり、Ｎ１０が２、３または４の時、Ｋ１０は６である
ことを特徴とする伝送方法。
【請求項３２】
請求項１７〜２７のいずれか1項に記載の伝送方法において、
ハイブリッド自動再送請求（ＨＡＲＱ）のプロセスの数が２である
ことを特徴とする伝送方法。
【請求項３３】
端末側で使用される伝送装置であって、
現在の物理上り共有チャネル（ＰＵＳＣＨ）を伝送するための第１開始サブフレームを決定するサブフレーム決定モジュールと、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送する第１送信モジュールと、
を備えることを特徴とする伝送装置。
【請求項３４】
請求項３３に記載の伝送装置において、
前記第１送信モジュールによって特別サブフレームの上りパイロットタイムスロットに割り当てられる物理ブロックの数Ｎ’＝α*Ｎの丸め結果で、αはズーム係数であり、Ｎは上りサブフレームに割り当てられる物理ブロックの数である
ことを特徴とする伝送装置。
【請求項３５】
請求項３４に記載の伝送装置において、
前記αは、上りサブフレームにおけるＰＵＳＣＨ伝送に使用可能なシンボル数と、特別サブフレームの上りパイロットタイムスロットにおけるＰＵＳＣＨ伝送に使用可能なシンボル数との比である
ことを特徴とする伝送装置。
【請求項３６】
請求項３４に記載の伝送装置において、
前記特別サブフレームの上りパイロットタイムスロットで前記ＰＵＳＣＨを伝送する際の送信電力はＮ’によって決定される
ことを特徴とする伝送装置。
【請求項３７】
請求項３３に記載の伝送装置において、
周波数領域において、特別サブフレームの上りパイロットタイムスロットにおけるＰＵＳＣＨ伝送の開始位置は、上りサブフレームにおけるＰＵＳＣＨ伝送の開始位置と同じである
ことを特徴とする伝送装置。
【請求項３８】
請求項３３に記載の伝送装置において、
前記第１開始サブフレームの位置は、現フレーム構造における基準サブフレームの位置および現フレーム構造のサブフレーム配置モードとによって決定される
ことを特徴とする伝送装置。
【請求項３９】
請求項３８に記載の伝送装置において、
前記基準サブフレームは、上り許可が位置するサブフレーム、または受信された物理ハイブリッド自動再送指示チャネル（ＰＨＩＣＨ）が位置するサブフレームである
ことを特徴とする伝送装置。
【請求項４０】
請求項３９に記載の伝送装置において、
前記基準サブフレームが上り許可の位置するサブフレームである場合、サブフレームの配置モード２では、現フレーム構造における前記基準サブフレームの位置はＮ１であり、前記第１開始サブフレームの位置はＮ１＋Ｋ１であり、Ｎ１が０または５の時、Ｋ１が６であり、Ｎ１が３または８のとき、Ｋ１は４であり、
または、現フレーム構造における前記基準サブフレームの位置はＮ２であり、前記第１開始サブフレームの位置はＮ２＋Ｋ２であり、Ｎ２は１または６の時、Ｋ２は５であり、Ｎ２が３または８の時、Ｋ２は４ある
ことを特徴とする伝送装置。
【請求項４１】
請求項３９に記載の伝送装置において、
前記基準サブフレームが、受信された物理ハイブリッド自動再送指示チャネル（ＰＨＩＣＨ）の位置するサブフレームである場合、サブフレームの配置モード２では、現フレーム構造における前記基準サブフレームの位置はＮ３−Ｌ１であり、前記第１開始サブフレームの位置はＮ３＋Ｋ３であり、Ｎ３が０または５の時、Ｌ１が２で、Ｋ３が６であり、Ｎ３が３または８の時、Ｌ１は３または０で、Ｋ３は４であり、
あるいは、現フレーム構造における前記基準サブフレームの位置はＮ４−Ｌ２であり、前記第１開始サブフレームの位置はＮ４＋Ｋ４であり、Ｎ４が１または６の時、Ｌ２が３で、Ｋ４が５であり、Ｎ４が３または８の時、Ｌ２は３または０で、Ｋ４は４である
ことを特徴とする伝送装置。
【請求項４２】
請求項３９に記載の伝送装置において、
前記基準サブフレームが上り許可の位置するサブフレームである場合、サブフレームの配置モード３では、現フレーム構造における前記基準サブフレームの位置はＮ５であり、前記第１開始サブフレームの位置はＮ５＋Ｋ５であり、Ｎ５が０、７、８または９の時、Ｋ５が４である
ことを特徴とする伝送装置。
【請求項４３】
請求項３９に記載の伝送装置において、
前記基準サブフレームが、受信された物理ハイブリッド自動再送指示チャネル（ＰＨＩＣＨ）の位置するサブフレームである場合、サブフレームの配置モード３では、現フレーム構造における前記基準サブフレームの位置はＮ６−Ｌ３であり、前記第１開始サブフレームの位置はＮ６＋Ｋ６であり、Ｎ６が０または９の時、Ｌ３が１で、Ｋ６が４であり、Ｎ６が７の時、Ｌ３は７で、Ｋ６は４であり、Ｎ６が８の時、Ｌ３は０で、Ｋ６は４であり、
あるいは、現フレーム構造における前記基準サブフレームの位置はＮ７−Ｌ４であり、前記第１開始サブフレームの位置はＮ７＋Ｋ７であり、Ｎ７が０または９の時、Ｌ４が１で、Ｋ７が４であり、Ｎ７が７の時、Ｌ４は７で、Ｋ７は４であり、Ｎ７が８の時、Ｌ４は３または１で、Ｋ７は４である
ことを特徴とする伝送装置。
【請求項４４】
請求項３３〜４３のいずれか1項に記載の伝送装置において、
第１送信モジュールによって伝送されたＰＵＳＣＨの対応する物理ハイブリッド自動再送指示チャネル（ＰＨＩＣＨ）を第２開始サブフレームにて受信する第１受信モジュールを備える
ことを特徴とする伝送装置。
【請求項４５】
請求項４４に記載の伝送装置において、
前記第２開始サブフレームの位置は、現フレーム構造における前記バインディングされた複数のサブフレームのうち最後のサブフレームの位置、および前記現フレーム構造のサブフレーム配置モードに従って決定される
ことを特徴とする伝送装置。
【請求項４６】
請求項４５に記載の伝送装置において、
サブフレームの配置モード２では、現フレーム構造における前記最後のサブフレームの位置がＮ８であり、前記第２開始サブフレームの位置がＮ８＋Ｋ８であり、Ｎ８が１または６の時、Ｋ８は４または７であり、Ｎ８が２または７の時、Ｋ８は６である
ことを特徴とする伝送装置。
【請求項４７】
請求項４５に記載の伝送装置において、
サブフレームの配置モード３では、現フレーム構造における前記最後のサブフレームの位置がＮ９であり、前記第２開始サブフレームの位置がＮ９＋Ｋ９であり、Ｎ９が１の時、Ｋ９は７であり、Ｎ９が２、３または４の時、Ｋ９は６であり、
または、現フレーム構造における前記最後のサブフレームの位置がＮ１０であり、前記第２開始サブフレームの位置がＮ１０＋Ｋ１０であり、Ｎ１０が１の時、Ｋ１０は６または４であり、Ｎ１０が２、３または４の時、Ｋ１０は６である
ことを特徴とする伝送装置。
【請求項４８】
請求項３３〜４３のいずれか1項に記載の伝送装置において、
ハイブリッド自動再送請求（ＨＡＲＱ）のプロセスの数が２である
ことを特徴とする伝送装置。
【請求項４９】
ネットワーク側で使用される伝送装置であって、
受信端末が、バインディング伝送条件が確立された場合に、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送するための第２受信モジュールを備える
ことを特徴とする伝送装置。
【請求項５０】
請求項４９に記載の伝送装置において、
特別サブフレームの上りパイロットタイムスロットに割り当てられる物理ブロックの数Ｎ’＝α*Ｎの丸め結果で、αはズーム係数であり、Ｎは上りサブフレームに割り当てられる物理ブロックの数である
ことを特徴とする伝送装置。
【請求項５１】
請求項５０に記載の伝送装置において、
前記αは、上りサブフレームにおけるＰＵＳＣＨ伝送に使用可能なシンボル数と、特別サブフレームの上りパイロットタイムスロットにおけるＰＵＳＣＨ伝送に使用可能なシンボル数との比である
ことを特徴とする伝送装置。
【請求項５２】
請求項５０に記載の伝送装置において、
前記特別サブフレームの上りパイロットタイムスロットで前記ＰＵＳＣＨを送信する際の送信電力はＮ’によって決定される
ことを特徴とする伝送装置。
【請求項５３】
請求項４９に記載の伝送装置において、
周波数領域において、特別サブフレームの上りパイロットタイムスロットにおけるＰＵＳＣＨ伝送の開始位置は、上りサブフレームにおけるＰＵＳＣＨ伝送の開始位置と同じである
ことを特徴とする伝送装置。
【請求項５４】
請求項４９に記載の伝送装置において、
前記第１開始サブフレームの位置は、現フレーム構造における基準サブフレームの位置および現フレーム構造のサブフレーム配置モードとによって決定される
ことを特徴とする伝送装置。
【請求項５５】
請求項５４に記載の伝送装置において、
前記基準サブフレームは、上り許可が位置するサブフレーム、または前回送信された物理ハイブリッド自動再送指示チャネル（ＰＨＩＣＨ）が位置するサブフレームである
ことを特徴とする伝送装置。
【請求項５６】
請求項５５に記載の伝送装置において、
前記基準サブフレームが上り許可の位置するサブフレームである場合、サブフレームの配置モード２では、現フレーム構造における前記基準サブフレームの位置はＮ１であり、前記第１開始サブフレームの位置はＮ１＋Ｋ１であり、Ｎ１が０または５の時、Ｋ１が６であり、Ｎ１が３または８のとき、Ｋ１は４であり、
または、現フレーム構造における前記基準サブフレームの位置はＮ２であり、前記第１開始サブフレームの位置はＮ２＋Ｋ２であり、Ｎ２は１または６の時、Ｋ２は５であり、Ｎ２が３または８の時、Ｋ２は４ある
ことを特徴とする伝送装置。
【請求項５７】
請求項５５に記載の伝送装置において、
前記基準サブフレームが、前回送信された物理ハイブリッド自動再送指示チャネル（ＰＨＩＣＨ）の位置するサブフレームである場合、サブフレームの配置モード２では、現フレーム構造における前記基準サブフレームの位置はＮ３−Ｌ１であり、前記第１開始サブフレームの位置はＮ３＋Ｋ３であり、Ｎ３が０または５の時、Ｌ１が２で、Ｋ３が６であり、Ｎ３が３または８の時、Ｌ１は３または０で、Ｋ３は４であり、
あるいは、現フレーム構造における前記基準サブフレームの位置はＮ４−Ｌ２であり、前記第１開始サブフレームの位置はＮ４＋Ｋ４であり、Ｎ４が１または６の時、Ｌ２が３で、Ｋ４が５であり、Ｎ４が３または８の時、Ｌ２は３または０で、Ｋ４は４である
ことを特徴とする伝送装置。
【請求項５８】
請求項５５に記載の伝送装置において、
前記基準サブフレームが上り許可の位置するサブフレームである場合、サブフレームの配置モード３では、現フレーム構造における前記基準サブフレームの位置はＮ５であり、前記第１開始サブフレームの位置はＮ５＋Ｋ５であり、Ｎ５が０、７、８または９の時、Ｋ５が４である
ことを特徴とする伝送装置。
【請求項５９】
請求項５５に記載の伝送装置において、
前記基準サブフレームが、前回送信された物理ハイブリッド自動再送指示チャネル（ＰＨＩＣＨ）の位置するサブフレームである場合、サブフレームの配置モード３では、現フレーム構造における前記基準サブフレームの位置はＮ６−Ｌ３であり、前記第１開始サブフレームの位置はＮ６＋Ｋ６であり、Ｎ６が０または９の時、Ｌ３が１で、Ｋ６が４であり、Ｎ６が７の時、Ｌ３は７で、Ｋ６は４であり、Ｎ６が８の時、Ｌ３は０で、Ｋ６は４であり、
あるいは、現フレーム構造における前記基準サブフレームの位置はＮ７−Ｌ４であり、前記第１開始サブフレームの位置はＮ７＋Ｋ７であり、Ｎ７が０または９の時、Ｌ４が１で、Ｋ７が４であり、Ｎ７が７の時、Ｌ４は７で、Ｋ７は４であり、Ｎ７が８の時、Ｌ４は３または１で、Ｋ７は４である
ことを特徴とする伝送装置。
【請求項６０】
請求項４９〜５９のいずれか1項に記載の伝送装置において、
前記第２受信モジュールによって受信された前記ＰＵＳＣＨに対応する物理ハイブリッド自動再送指示チャネル（ＰＨＩＣＨ）を第２開始サブフレームにて送信する第２送信モジュールをさらに備える
ことを特徴とする伝送装置。
【請求項６１】
請求項６０に記載の伝送装置において、
前記第２開始サブフレームの位置は、現フレーム構造における前記バインディングされた複数のサブフレームのうち最後のサブフレームの位置、および前記現フレーム構造のサブフレーム配置モードに従って決定される
ことを特徴とする伝送装置。
【請求項６２】
請求項６１に記載の伝送装置において、
サブフレームの配置モード２では、現フレーム構造における前記最後のサブフレームの位置がＮ８であり、前記第２開始サブフレームの位置がＮ８＋Ｋ８であり、Ｎ８が１または６の時、Ｋ８は４または７であり、Ｎ８が２または７の時、Ｋ８は６である
ことを特徴とする伝送装置。
【請求項６３】
請求項６１に記載の伝送装置において、
サブフレームの配置モード３では、現フレーム構造における前記最後のサブフレームの位置がＮ９であり、前記第２開始サブフレームの位置がＮ９＋Ｋ９であり、Ｎ９が１の時、Ｋ９は７であり、Ｎ９が２、３または４の時、Ｋ９は６であり、
または、現フレーム構造における前記最後のサブフレームの位置がＮ１０であり、前記第２開始サブフレームの位置がＮ１０＋Ｋ１０であり、Ｎ１０が１の時、Ｋ１０は６または４であり、Ｎ１０が２、３または４の時、Ｋ１０は６である
ことを特徴とする伝送装置。
【請求項６４】
請求項４９〜５９のいずれか1項に記載の伝送装置において、
ハイブリッド自動再送請求（ＨＡＲＱ）のプロセスの数が２である
ことを特徴とする伝送装置。
【請求項６５】
請求項３３〜４８のいずれか1項に記載の伝送装置を備える
ことを特徴とする移動通信端末。
【請求項６６】
請求項４９〜６４のいずれか1項に記載の伝送装置を備える
ことを特徴とするネットワーク側装置。
【請求項６７】
端末側で使用される伝送装置であって、
プロセッサと、
メモリとを備え、
前記メモリには、前記プロセッサによって実行可能なコンピュータ可読命令が格納され、前記コンピュータ可読命令が実行されるときに、次の操作が前記プロセッサによって実行される：
現在の物理上り共有チャネル（ＰＵＳＣＨ）を伝送するための第１開始サブフレームを決定し、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送する
ことを特徴とする伝送装置。
【請求項６８】
プロセッサによって実行可能なコンピュータ可読命令を格納するコンピュータ可読な不揮発性記憶媒体であって、前記コンピュータ可読命令がプロセッサによって実行されるときに、次の操作が前記プロセッサによって実行される：
現在の物理上り共有チャネルＰＵＳＣＨを伝送するための第１開始サブフレームを決定し、
バインディング伝送条件が確立された場合、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送する
ことを特徴とするコンピュータ可読な不揮発性記憶媒体。
【請求項６９】
ネットワーク側で使用される伝送装置であって、
プロセッサと
メモリとを備え、
前記メモリには、前記プロセッサによって実行可能なコンピュータ可読命令が格納され、前記コンピュータ可読命令が実行されるときに、次の操作が前記プロセッサによって実行される：
受信端末によって、バインディング伝送条件が確立された場合、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送する
ことを特徴とする伝送装置。
【請求項７０】
プロセッサによって実行可能なコンピュータ可読命令を格納するコンピュータ可読な不揮発性記憶媒体であって、前記コンピュータ可読命令がプロセッサによって実行されるときに、次の操作が前記プロセッサによって実行される：
受信端末によって、バインディング伝送条件が確立された場合、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送する
コンピュータ可読な不揮発性記憶媒体。
【発明の詳細な説明】
【技術分野】
【０００１】
この出願は、２０１６年８月１１日に中国国家知的財産局に出願された中国特許出願第２０１６１０６５９３０５．２号、および２０１６年９月３０日に中国国家知的財産局に出願された中国特許出願第２０１６１０８７４４４５．１号の優先権を主張する。それらの内容は、すべて参照により本明細書に組み込まれる。
【０００２】
本開示は、移動通信技術に関し、特に、上り共有チャネルのバインディング伝送を実現する伝送方法、装置、移動通信端末およびネットワーク側装置に関する。
【背景技術】
【０００３】
ＴＤ−ＬＴＥ（時分割ロングタームエヴォリューション、Time Division Long Term Evolution）は、各サブフレームが1ミリ秒の長さで、２つの０．５ミリ秒のタイムスロットを含む、１０個のサブフレームから１０ミリ秒の無線フレームを構成する等長サブフレーム構造を採用している。ＴＤ−ＬＴＥシステムの基本スケジューリング/伝送周期（ＴＴＩ、Transport Time Interval）は、１つのサブフレーム、すなわち１msである。これに応じて、フィードバックＴＴＩとデータ伝送ＴＴＩとの間のＴＴＩ間隔は、データ伝送遅延およびデバイスによるデータの処理時間などの要因に従って設定する必要があり、一般に４つのＴＴＩの時間長である。さらに、ＴＤ−ＬＴＥは、下りパイロットタイムスロット（DwPTS、Downlink Pilot Time Slot）、ガード間隔（GP、Guard Period）、および上りパイロットタイムスロット（UpPTS、Uplink Pilot Time Slot）という３つの部分からなる特別サブフレームを導入した。
【０００４】
ＬＴＥにおける物理層スケジューリングの基本単位は1ミリ秒であるため、このような短い時間間隔でＬＴＥにおけるアプリケーションの時間遅延を小さくすることができる。しかしながら、一部のセルのエッジではカバレージが制限されている場合、端末は、自身の送信電力制限のために、1msの期間内でデータ送信のブロック誤り率（BLER、Block Error Rate）を満たすことができない場合がある。したがって、ＬＴＥでは、連続した上りＴＴＩをバインドして同じＵＥに配分するＴＴＩバインディングの概念が提案されたことにより、データ復号の成功率を改善して、上りカバレージを改善することができる。ネットワーク側では、バインドされたすべての上りフレームを受信した後のみACK / NACKがフィードバックされる。
【０００５】
しかし、従来のプロトコルでは、特別サブフレームによる物理上り共有チャネル（PUSCH、Physical Uplink Shared Channel）の伝送がサポートされていないので、サブフレームの一部のＴＤＤ配置モード（例えば、２、及び３）では、ＰＵＳＣＨの伝送のためのＴＴＩバインディングがサポートされず、上りカバレージが低下した。
【発明の概要】
【０００６】
本開示の目的は、上り共有チャネルのバインディング伝送を実現する伝送方法、装置、移動通信端末およびネットワーク側装置を提供することにある。
【課題を解決するための手段】
【０００７】
上記目的を達成するために、本開示の一実施形態は、
端末が、現在の物理上り共有チャネルＰＵＳＣＨを伝送するための第１目標サブフレームを決定するサブフレーム決定ステップと、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送する第１送信ステップと、
を含む伝送方法を提供する。
上記目的を達成するために、本発明の一実施形態は、
ネットワーク側の受信端末が、バインディング伝送条件が確立された場合、第１開始サブフレームからの複数のサブフレームをバインディングし、ＰＵＳＣＨの伝送に使用可能な上りパイロットタイムスロットを備えた少なくとも一つの特別サブフレームを含むバインディングされたサブフレームの上りリソースを利用してＰＵＳＣＨを伝送する第２受信ステップを、
含む伝送方法を提供する。
【０００８】
上記目的を達成するために、本発明の一実施形態は、
端末が、現在の物理上り共有チャネルＰＵＳＣＨを伝送するための第１開始サブフレームを決定するサブフレーム決定モジュールと、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送する第１送信モジュールと、
を備える端末側で使用される伝送装置を提供する。
【０００９】
上記目的を達成するために、本発明の一実施形態は、
バインディング伝送条件が確立された場合、第１開始サブフレームからの複数のサブフレームをバインディングし、ＰＵＳＣＨの伝送に使用可能な上りパイロットタイムスロットを備えた少なくとも一つの特別サブフレームを含むバインディングされたサブフレームの上りリソースを利用してＰＵＳＣＨを伝送する第２受信モジュール
を備えるネットワーク側で使用される伝送装置を提供する。
【００１０】
また、本開示の一実施形態は、
プロセッサと、
メモリとを備え、
前記メモリには、前記プロセッサによって実行可能なコンピュータ可読命令が格納され、コンピュータ可読命令が実行されるときに、前記プロセッサによって以下の動作が実行される：
現在の物理上り共有チャネルＰＵＳＣＨを伝送するための第１開始サブフレームを決定し、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送する
【００１１】
端末側で使用される伝送装置を提供する。
本開示の実施形態はさら、プロセッサによって実行可能なコンピュータ可読命令を格納するコンピュータ可読な不揮発性記憶媒体であって、前記コンピュータ可読命令がプロセッサによって実行されるときに、次の操作が前記プロセッサによって実行される：
現在の物理上り共有チャネルＰＵＳＣＨを伝送するための第１開始サブフレームを決定し、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送する
【００１２】
コンピュータ可読な不揮発性記憶媒体を提供する。
本開示の一実施形態は、
プロセッサと
メモリとを備え、
前記メモリには、プロセッサによって実行可能なコンピュータ可読命令が格納され、前記コンピュータ可読命令が実行されるときに以下の動作が前記プロセッサによって実行される：
受信端末によって、バインディング伝送条件が確立された場合、第１開始サブフレームからの複数のサブフレームをバインディングし、ＰＵＳＣＨの伝送に使用可能な上りパイロットタイムスロットを備えた少なくとも一つの特別サブフレームを含むバインディングされたサブフレームの上りリソースを利用してＰＵＳＣＨを伝送する
ネットワーク側で使用される伝送装置をさらに提供する。
【００１３】
本開示の一実施形態は、プロセッサによって実行可能なコンピュータ可読命令を格納するコンピュータ可読な不揮発性記憶媒体であって、前記コンピュータ可読命令がプロセッサによって実行されるときに、次の操作が前記プロセッサによって実行される：
受信端末によって、バインディング伝送条件が確立された場合、第１開始サブフレームからの複数のサブフレームをバインディングし、ＰＵＳＣＨの伝送に使用可能な上りパイロットタイムスロットを備えた少なくとも一つの特別サブフレームを含むバインディングされたサブフレームの上りリソースを利用してＰＵＳＣＨを伝送する
コンピュータ可読な不揮発性記憶媒体をさらに提供する。
【００１４】
上記目的を達成するために、本発明の一実施形態は、上述した端末側で使用される伝送装置を備える移動通信端末を提供する。
【００１５】
上記目的を達成するために、本発明の一実施形態は、上述したネットワーク側で使用される送信装置を備えるネットワーク側装置をさらに提供する。
【００１６】
本開示の特定の実施形態では、上りパイロットタイムスロットによってＰＵＳＣＨを送信するとともに、ＴＴＩバインディング伝送条件が確立された場合、TTIバインディング技術によってPＵＳＣＨの伝送を実現するので、上りカバレージが向上した。
【００１７】
本開示の実施形態の技術方案をより明確に説明するために、本開示による実施形態で採用された図面を簡単に紹介するが、これらの図面は、本開示のいくつかの実施形態のみで、当業者であれば、創作的な労力を払うことなく、これらの図面に基づいて他の図面を得ることもできる。
【図面の簡単な説明】
【００１８】
【図１】図１は、本開示の一実施形態に係る端末側に適用される伝送方法を示すフローチャートである。
【図２】図２は、本開示の一実施形態に係る端末側に適用される他の伝送方法を示すフローチャートである。
【図３ａ】図３ａ〜図３ｅは、本開示の一実施形態に係る配置モード３での伝送方法を示すシーケンス図である。
【図３ｂ】図３ａ〜図３ｅは、本開示の一実施形態に係る配置モード３での伝送方法を示すシーケンス図である。
【図３ｃ】図３ａ〜図３ｅは、本開示の一実施形態に係る配置モード３での伝送方法を示すシーケンス図である。
【図３ｄ】図３ａ〜図３ｅは、本開示の一実施形態に係る配置モード３での伝送方法を示すシーケンス図である。
【図３ｅ】図３ａ〜図３ｅは、本開示の一実施形態に係る配置モード３での伝送方法を示すシーケンス図である。
【図４ａ】図４ａ〜図４ｆは、本開示の一実施形態に係る配置モード２での伝送方法を示すシーケンス図である。
【図４ｂ】図４ａ〜図４ｆは、本開示の一実施形態に係る配置モード２での伝送方法を示すシーケンス図である。
【図４ｃ】図４ａ〜図４ｆは、本開示の一実施形態に係る配置モード２での伝送方法を示すシーケンス図である。
【図４ｄ】図４ａ〜図４ｆは、本開示の一実施形態に係る配置モード２での伝送方法を示すシーケンス図である。
【図４ｅ】図４ａ〜図４ｆは、本開示の一実施形態に係る配置モード２での伝送方法を示すシーケンス図である。
【図４ｆ】図４ａ〜図４ｆは、本開示の一実施形態に係る配置モード２での伝送方法を示すシーケンス図である。
【図５】図５は、本開示の一実施形態に係るネットワーク側に適用される伝送方法を示すフローチャートである。
【図６】図６は、本発明の一実施形態に係るネットワーク側に適用される他の伝送方法を示すフローチャートである。
【図７】図７は、本開示の一実施形態に係る端末側に適用される伝送装置の概略構成図である。
【図８】図８は、本開示の一実施形態に係る端末側に適用される他の伝送装置の概略構成図である。
【図９】図９は、本開示の一実施形態に係るネットワーク側に適用される伝送装置の概略構成図である。
【図１０】図１０は、本開示の一実施形態に係るネットワーク側に適用される他の伝送装置を示す概略構成図である。
【図１１】図１１は、本開示の実施形態による伝送方法または装置の実現に適したコンピュータシステムを示す概略構成図である。
【発明を実施するための形態】
【００１９】
本開示の実施形態における技術方案は、添付図面を参照して以下に明らかにかつ完全に記載される。ここで記載された実施形態は、すべてではなく、本開示の実施形態の一部であることが明らかであろう。これらの実施形態に基づいて、創造的な作業を行わないことを前提として当業者によって取得される他のすべての実施形態は、本開示の範囲に属する。
【００２０】
本開示の伝送方法および装置では、上りパイロットタイムスロットをスケジューリングすることによりＰＵＳＣＨを伝送するので、ＴＴＩバインディング技術を用いてＰＵＳＣＨの伝送を実現することができ、上りカバレージが向上する。
【００２１】
本開示の実施形態による伝送方法は、図1に示すように、
端末が、現在の物理上り共有チャネルＰＵＳＣＨを伝送するための第１開始サブフレームを決定するサブフレーム決定ステップ１０１と、
バインディング伝送条件が確立された場合、前記第１開始サブフレームからの複数のサブフレームをバインディングし、上りパイロットタイムスロットを備えた少なくとも一つの特別サブフレームを含むバインディングされたサブフレームの上りリソースを利用してＰＵＳＣＨを伝送する第１送信ステップ１０２とを含む。
【００２２】
本開示の特定の実施形態では、上りパイロットタイムスロットによってＰＵＳＣＨを送信するとともに、ＴＴＩバインディング伝送条件が確立された場合、ＴＴＩバインディング技術によってPＵＳＣＨの伝送を実現するので、上りカバレージが向上した。
【００２３】
本開示の特定の実施形態では、上りパイロットタイムスロットおよび上りサブフレーム内の上りリソースは、ＰＵＳＣＨを送信するようにバインディングされる。上りパイロットタイムスロットと上りサブフレームは、上りリソースの数が同じではなく、例えば、ＤｗＰＴＳ：ＧＰ：ＵｐＰＴＳの配分比が６：２：６である特別サブフレームに関し、上りパイロットタイムスロットのリソースの数は、通常の上りサブフレームの上りリソースの数に対して４３％（６/１４）となる。ここで、上りパイロットタイムスロット内のリソースを基準として伝送ブロックのサイズを決定すると、上りサブフレーム内の利用可能なリソースがより多いので、通常の上りサブフレームの伝送効率が低下する。一方、上りサブフレーム内のリソースを基準として伝送ブロックのサイズを決定すると、上りパイロットタイムスロット内の利用可能なリソースがより少ないので、上りパイロットタイムスロットで伝送されるＰＵＳＣＨの符号化率が１より大きくなるため、伝送性能が低下する。
【００２４】
以上の要因を考慮して、本開示の特定の実施形態では、上りサブフレームと上りパイロットタイムスロットにそれぞれ適切な伝送ブロックを決定することにより、伝送性能および送信効率が改善される。
【００２５】
上述のように、第１送信ステップでは、ネットワーク側で上りサブフレームに割り当てられた物理ブロックの数Ｎに基づいて、上りパイロットタイムスロットに割り当てるべきの物理ブロックの数Ｎ’が決定され、ただし、Ｎ’＝α*Ｎの丸め結果で、αはズーム係数である。
【００２６】
ここで、好ましいＮ'の決定方法では、上りサブフレームにおけるＰＵＳＣＨの伝送に使用可能なシンボル数ＫＮｏｒｍａｌと、上りパイロットタイムスロットにおけるＰＵＳＣＨの送信に使用可能なシンボル数ＫＵｐＰＴＳとに応じてN’を決定する。
【００２７】
ただし、α＝ＫＮｏｒｍａｌ/ＫＵｐＰＴＳ。
【００２８】
上りパイロットタイムスロットにおけるＰＵＳＣＨの伝送に使用可能なシンボル数ＫＮｏｒｍａｌが1である場合、α＝１２、ＫＮｏｒｍａｌ＝２の場合、α＝６、ＫＮｏｒｍａｌ＝３の場合、α＝４、ＫＮｏｒｍａｌ＝５の場合、α＝２．４、 上りパイロットタイムスロットにおけるＰＵＳＣＨの送信に使用可能なシンボル数が６である場合、α＝２、．．．。
【００２９】
このように、上りパイロットタイムスロット内の物理ブロックの数は、ＫＮｏｒｍａｌとＫＵｐＰＴＳの比に従って比例的に拡大される。
【００３０】
上りサブフレームと上りパイロットタイムスロットの物理ブロック数が異なる場合、本開示の具体的な実施形態では、上りサブフレームと上りパイロットタイムスロットのそれぞれの送信電力が設定される。そのうち、第１開始サブフレームにおける上りパイロットタイムスロットによるＰＵＳＣＨ送信のための送信電力は、Ｎ'に従って決定され、具体的には、３ＧＰＰ ＴＳ３６．２１３の規定に従って以下の通りである。
【００３１】
【数１】
2019522946.tif 000003
【００３２】
ここで、
【００３３】
【数２】
2019522946.tif 000004
【００３４】
は上りパイロットタイムスロットのために割り当てられた物理ブロック数Ｎ’である。
【００３５】
リソースを割り当てるときは、物理ブロックの数だけでなく、周波数領域における開始位置も決定する必要がある。本開示の特定の実施形態では、第１送信ステップにおいて、周波数領域において、特別サブフレームにおける上りパイロットタイムスロットによるＰＵＳＣＨ伝送の開始位置は、上りサブフレームにおけるＰＵＳＣＨ伝送の開始位置と同じである。
【００３６】
本開示の特定の実施形態では、前記サブフレーム決定ステップにおいて、前記第１開始サブフレームの位置は、現フレーム構造内の基準サブフレームの位置および現フレーム構造のサブフレーム配置モードに従って決定される。
【００３７】
この基準サブフレームは、上り許可が位置するサブフレーム、または受信された物理ハイブリッド自動再送指示チャネルＰＨＩＣＨが位置するサブフレームである。
【００３８】
以下の表１は、従来のＴＤＤサブフレーム配置モードの表である。
【００３９】
【表１】
2019522946.tif 000005
【００４０】
表１から分かるように、ＴＤＤサブフレーム配置モード０，１，６では、上りサブフレーム数がそれぞれ６，４，５であり、ＴＴＩバインディングを実現できる。ＴＤＤサブフレーム配置モード４、５では、上りサブフレームと特別サブフレームの数がそれぞれ２と３である。特別サブフレームの上りパイロットスロットによってＰＵＳＣＨを送信できでも、数量の理由でＴＴＩバインディングを実現することはできない。
【００４１】
そこで、本開示の実施形態では、まずＰＵＳＣＨのＴＴＩバンドリング伝送を配置モード２、３で実現できるように配置モード２、３を設定しており、相応する規則は以下の通りである。
【００４２】
まず、上り許可と、スケジューリングしてボンディングされた対応のＴＴＩのうち１つ目のＴＴＩとの間の時間間隔は、できるだけ短くにする。例えば、サブフレームの配置モード３を例として、ＵＬ許可が６つ目のサブフレームに位置する場合、この時点でスケジュールしてバインディングされたＴＴＩのうち１つ目のＴＴＩは、その後のＴＴＩではなく、１つ目の特別サブフレームとなるべきである。
【００４３】
次に、従来のＵＥとの互換性を考慮すると、ＴＴＩバンドリング（bundling）の最後のＴＴＩがＵｐＰＴＳである場合、伝送するＰＵＳＣＨに対応するＰＨＩＣＨは元のＰＨＩＣＨリソースのみにて送信される。
【００４４】
次に、新たに設定したシーケンスによる通常のサブフレームのシーケンスへの影響をできるだけ減少する。
【００４５】
最後に、ＵＬ許可の伝送とデータ伝送との間隔を４ｍｓ以上にし、データ伝送とＡＣＫ/ＮＡＣＫフィードバックとの間隔も４ｍｓ以上にする。
【００４６】
上記の規則は、必須のガイドラインではなく、設定の難しさを下げ、システムの複雑さを軽減するためのものである。
【００４７】
<配置モード２>
【００４８】
配置モード２では、第２サブフレームと第６サブフレームを用いてＰＵＳＣＨを送信するために、第２サブフレームと第６サブフレームとにそれぞれ位置する２つの特別タイムスロットが含まれている。本開示の特定の実施形態では、以下の解決方案が提供される。
【００４９】
方案１
【００５０】
前記基準サブフレームが上り許可の位置するサブフレームである場合、サブフレームの配置モード２では、Ｎ１番目のサブフレームでＵＬ許可を送信するために、対応するＰＵＳＣＨ伝送は、Ｎ１＋Ｋ１番目のサブフレームで開始し、２つの設定方案が以下の通り：
Ｎ１が０または５である場合、Ｋ１は６、Ｎ１が３または８である場合、Ｋ１は４である。Ｎ１＝０、Ｋ１＝６である場合を以下の表２に示す。
【００５１】
【表２】
2019522946.tif 000006
【００５２】
上述した４つの規則を考慮して、表２に示すような（すなわち、ＰＵＳＣＨ伝送が位置するサブフレームはＮ１＋Ｋ１となる）ＰＵＳＣＨの位置するサブフレームの設定方案と、受信された物理ハイブリッド自動再送指示チャネルＰＨＩＣＨが位置するサブフレームとが対応している場合、基準サブフレームが、受信された物理ハイブリッド自動再送指示チャネルＰＨＩＣＨの位置するサブフレームであるため、前回受信された物理ハイブリッド自動再送指示チャネルＰＨＩＣＨが位置するサブフレームは、 Ｎ３（Ｎ３はＮ１と等しい）−Ｌ１であり、前記第１開始サブフレームの位置はＮ３＋Ｋ３（Ｋ３はＫ１と等しい）であり、ただし、Ｎ３が０または５の時、Ｌ１は２、Ｋ３は６であり、Ｎ３が３または８の時、Ｌ１は０、Ｋ３は４である。Ｌ１の設定は、以下の表３に示される。
【００５３】
【表３】
2019522946.tif 000007
【００５４】
あるいは、Ｌ１は、ＰＨＩＣＨと、そのフィードバックＡＣＫに対応するＴＴＩバンドリングのうち最後のＴＴＩとの間の時間間隔ができるだけ短いような他の設定を有してもよい。
【００５５】
設定規則を変更すると、対応するＬ２の設定は以下の通りである。表２に示すような（すなわち、ＰＵＳＣＨ伝送が位置するサブフレームはＮ１＋Ｋ１となる）ＰＵＳＣＨの位置するサブフレームの設定方案と、受信された物理ハイブリッド自動再送指示チャネルＰＨＩＣＨが位置するサブフレームとが対応している場合、基準サブフレームが、受信された物理ハイブリッド自動再送指示チャネルＰＨＩＣＨの位置するサブフレームであるため、前回受信された物理ハイブリッド自動再送指示チャネルＰＨＩＣＨが位置するサブフレームは、 Ｎ３（Ｎ３はＮ１と等しい）−Ｌ１であり、前記第１開始サブフレームの位置はＮ３＋Ｋ３（Ｋ３はＫ１と等しい）であり、ただし、Ｎ３が０または５の時、Ｌ１は２、Ｋ３は６であり、Ｎ３が３または８の時、Ｌ１は３、Ｋ３は４である。Ｌ１の設定は、以下の表４に示される。
【００５６】
【表４】
2019522946.tif 000008
【００５７】
方案２
【００５８】
基準サブフレームが上り許可の位置するサブフレームである場合には、サブフレームの配置モード２では、現フレーム構造における前記基準サブフレームの位置はＮ２であり、前記第１開始サブフレームの位置はＮ２＋Ｋ２である。Ｎ２が１または６の時、Ｋ２は５、Ｎ２が３または８の時、Ｋ２は４にそれぞれ等しい。
【００５９】
以下の表５に示す。
【００６０】
【表５】
2019522946.tif 000009
【００６１】
上述した４つの規則を考慮して、表５に示すような（すなわち、ＰＵＳＣＨ伝送が位置するサブフレームはＮ１＋Ｋ１となる）ＰＵＳＣＨの位置するサブフレームの設定方案と、受信された物理ハイブリッド自動再送指示チャネルＰＨＩＣＨが位置するサブフレームとが対応している場合、基準サブフレームが、受信された物理ハイブリッド自動再送指示チャネルＰＨＩＣＨの位置するサブフレームであるため、現フレーム構造における基準サブフレームの位置はＮ４（Ｎ２と等しい）―Ｌ２であり、前記第１開始サブフレームの位置はＮ４＋Ｋ４（Ｋ２と等しい）である。Ｌ２の設定は、以下の表６に示される。
【００６２】
【表６】
2019522946.tif 000010
【００６３】
あるいは、Ｌ２は、ＰＨＩＣＨと、そのフィードバックＡＣＫに対応するＴＴＩバンドリングのうち最後のＴＴＩとの間の時間間隔ができるだけ短いような他の設定を有してもよい。
【００６４】
設定規則を変更すると、対応するＬ２の設定は以下の通りである。
【００６５】
表５に示すような（すなわち、ＰＵＳＣＨ伝送が位置するサブフレームはＮ１＋Ｋ１となる）ＰＵＳＣＨの位置するサブフレームの設定方案と、受信された物理ハイブリッド自動再送指示チャネルＰＨＩＣＨが位置するサブフレームとが対応している場合、基準サブフレームが、受信された物理ハイブリッド自動再送指示チャネルＰＨＩＣＨの位置するサブフレームであるため、現フレーム構造における基準サブフレームの位置はＮ４（Ｎ２と等しい）―Ｌ２であり、前記第１開始サブフレームの位置はＮ４＋Ｋ４（Ｋ２と等しい）である。Ｌ２の設定は、以下の表７に示される。
【００６６】
【表７】
2019522946.tif 000011
【００６７】
上記の表２〜７のそれぞれにおいて、ＰＵＳＣＨの最後のサブフレームは、４つの場合を有する。
【００６８】
上り許可が０番目または１番目のサブフレームで送信される場合、対応するＰＵＳＣＨの開始サブフレームは６であり、上りリソースを有する４つのサブフレームを使用すると、ＰＵＳＣＨは２番目のサブフレームで終了する。
【００６９】
上り許可が３番目のサブフレームで送信される場合、対応するＰＵＳＣＨの開始サブフレームは７であり、上りリソースを有する４つのサブフレームを使用すると、ＰＵＳＣＨは６番目のサブフレームで終了する。
【００７０】
上り許可が５または６番目のサブフレームで送信される場合、対応するＰＵＳＣＨの開始サブフレームは１であり、上りリソースを有する４つのサブフレームを使用すると、ＰＵＳＣＨは７番目のサブフレームで終了する。
【００７１】
上り許可が８番目のサブフレームで送信される場合、対応するＰＵＳＣＨの開始サブフレームは２であり、上りリソースを有する４つのサブフレームを使用すると、ＰＵＳＣＨは１番目のサブフレームで終了する。
【００７２】
上記の送信するＰＵＳＣＨについて、本開示の別の特定の実施形態では、図２に示すように、この方法は、第１送信ステップで伝送されたＰＵＳＣＨの対応する物理ハイブリッド自動再送指示チャネルＰＨＩＣＨを第２開始サブフレームにて受信する第１受信ステップ１０３をさらに含む。
【００７３】
第２開始サブフレームは、現フレーム構造におけるＰＵＳＣＨ伝送の最後のサブフレームの位置、および現フレーム構造のサブフレーム配置モードに従って決定される。
【００７４】
サブフレーム配置モード２では、上述の設定方案におけるＰＵＳＣＨ伝送の最後のサブフレームは、上述したように、１番目のサブフレーム、２番目のサブフレーム、６番目のサブフレーム、または７番目のサブフレームに位置する４つの場合がある。現フレーム構造における最後のサブフレームの位置をＮ８（Ｎ１＋Ｋ１またはＮ２＋Ｋ２と等しい）とし、第２開始サブフレームの位置をＮ８＋Ｋ８とすると、 Ｎ８が１または６の時、Ｋ８は７、Ｎ８が２または７の時、Ｋ８は６にそれぞれ等しい。以下の表８に示す。
【００７５】
【表８】
2019522946.tif 000012
【００７６】
あるいは、ＰＨＩＣＨと、そのフィードバックＡＣＫに対応するＴＴＩバンドリングのうち最後のＴＴＩとの間の時間間隔ができるだけ短いような他の設定を有してもよい。
【００７７】
設定規則を変更すると、対応するＫ８の設定は以下の通りである。
【００７８】
現フレーム構造における最後のサブフレームの位置をＮ８（Ｎ１＋Ｋ１またはＮ２＋Ｋ２と等しい）とし、前記第２開始サブフレームの位置をＮ８＋Ｋ８とすると、 Ｎ８が１または６の時、Ｋ８は４、Ｎ８が２または７の時、Ｋ８は６にそれぞれ等しい。以下の表９に示す。
【００７９】
【表９】
2019522946.tif 000013
【００８０】
<配置モード３>
【００８１】
配置モード３では、２番目のサブフレームにある特別タイムスロットが含まれており、２番目のサブフレームを使用してＰＵＳＣＨを伝送するために、本開示の特定の実施形態では、以下の解決方案が提供される。
【００８２】
方案１
【００８３】
前記基準サブフレームが上り許可の位置するサブフレームである場合、サブフレームの配置モード３では、Ｎ５番目のサブフレームで上り許可を送信するために、対応するＰＵＳＣＨ伝送は、Ｎ５＋Ｋ５番目のサブフレームで開始し、Ｎ５が０，７，８または９の時にＫ５は4に等しいという方案は、以下の表１０に示される。
【００８４】
【表１０】
2019522946.tif 000014
【００８５】
表１０に示すような（すなわち、ＰＵＳＣＨ伝送が位置するサブフレームはＮ５＋Ｋ６となる）ＰＵＳＣＨの位置するサブフレームの設定方案と、受信された物理ハイブリッド自動再送指示チャネルＰＨＩＣＨが位置するサブフレームとが対応している場合、基準サブフレームが、受信された物理ハイブリッド自動再送指示チャネルＰＨＩＣＨの位置するサブフレームであるため、前回受信された物理ハイブリッド自動再送指示チャネルＰＨＩＣＨが位置するサブフレームはＮ６（Ｎ５と等しい）―Ｌ３であり、Ｌ３の設定は以下の表１１に示される。
【００８６】
【表１１】
2019522946.tif 000015
【００８７】
あるいは、上記のＬの値は、ＰＨＩＣＨと、そのフィードバックＡＣＫに対応するＴＴＩバンドリングのうち最後のＴＴＩとの間の時間間隔ができるだけ短いような他の設定を有してもよい。
【００８８】
設定規則を変更すると、対応するＬ４の設定は以下の通りである。表１０に示すような（すなわち、ＰＵＳＣＨ伝送が位置するサブフレームはＮ５＋Ｋ６となる）ＰＵＳＣＨの位置するサブフレームの設定方案と、受信された物理ハイブリッド自動再送指示チャネルＰＨＩＣＨが位置するサブフレームとが対応している場合、基準サブフレームが、受信された物理ハイブリッド自動再送指示チャネルＰＨＩＣＨの位置するサブフレームであるため、前回受信された物理ハイブリッド自動再送指示チャネルＰＨＩＣＨが位置するサブフレームはＮ７（Ｎ５と等しい）―Ｌ４であり、Ｌ４の設定は以下の表１２に示される。
【００８９】
【表１２】
2019522946.tif 000016
【００９０】
上記の表１０〜１２のそれぞれにおいて、ＰＵＳＣＨの最後のサブフレームは、４つの場合を有する。
【００９１】
上り許可が０番目のサブフレームで送信される場合、対応するＰＵＳＣＨの開始サブフレームは４であり、上りリソースを有する４つのサブフレームを使用すると、ＰＵＳＣＨは３番目のサブフレームで終了する。
【００９２】
上り許可が７番目のサブフレームで送信される場合、対応するＰＵＳＣＨの開始サブフレームは１であり、上りリソースを有する４つのサブフレームを使用すると、ＰＵＳＣＨは４番目のサブフレームで終了する。
【００９３】
上り許可が８番目のサブフレームで送信される場合、対応するＰＵＳＣＨの開始サブフレームは２であり、上りリソースを有する４つのサブフレームを使用すると、ＰＵＳＣＨは１番目のサブフレームで終了する。
【００９４】
上り許可が９番目のサブフレームで送信される場合、対応するＰＵＳＣＨの開始サブフレームは３であり、上りリソースを有する４つのサブフレームを使用すると、ＰＵＳＣＨは２番目のサブフレームで終了する。
【００９５】
上記の送信するＰＵＳＣＨについて、モード３では、本開示の別の特定の実施形態では、この方法は、第１送信ステップで伝送されたＰＵＳＣＨの対応する物理ハイブリッド自動再送指示チャネルＰＨＩＣＨを第２開始サブフレームにて受信する第１受信ステップを含む。
【００９６】
第２開始サブフレームは、現フレーム構造におけるＰＵＳＣＨ伝送の最後のサブフレームの位置、および現フレーム構造のサブフレーム配置モードに従って決定される。
【００９７】
サブフレームの配置モード３では、上述の設定方案におけるＰＵＳＣＨ伝送の最後のサブフレームは、上述したように、１番目のサブフレーム、２番目のサブフレーム、３番目のサブフレーム、または４番目のサブフレームに位置する４つの場合がある。現フレーム構造における最後のサブフレームの位置をＮ９（Ｎ５＋Ｋ５と等しい）とし、第２開始サブフレームの位置をＮ９＋Ｋ９とすると、 Ｎ９が１の時、Ｋ９は７、Ｎ９が２、３または４の時、Ｋ９は６にそれぞれ等しい。以下の表１３に示す。
【００９８】
【表１３】
2019522946.tif 000017
【００９９】
あるいは、上記のＫの値は、ＰＨＩＣＨと、そのフィードバックＡＣＫに対応するＴＴＩバンドリングのうち最後のＴＴＩとの間の時間間隔ができるだけ短いような他の設定を有してもよい。
【０１００】
設定規則を変更すると、対応するＫ１０の設定は以下の通りである。サブフレームの配置モード３では、上述の設定方案におけるＰＵＳＣＨ伝送の最後のサブフレームは、上述したように、１番目のサブフレーム、２番目のサブフレーム、３番目のサブフレーム、または４番目のサブフレームに位置する４つの場合がある。現フレーム構造における最後のサブフレームの位置をＮ１０（Ｎ５＋Ｋ５と等しい）とし、第２開始サブフレームの位置をＮ１０＋Ｋ１０とすると、 Ｎ１０が１の時、Ｋ１０は６または４、Ｎ１０が２、３または４の時、Ｋ１０は６にそれぞれ等しい。以下の表１４に示す。
【０１０１】
【表１４】
2019522946.tif 000018
【０１０２】
本開示の特定の実施形態では、上記のシーケンスに従って、ＴＴＩバインディングを使用してＰＵＳＣＨを伝送する場合のＨＡＲＱプロセスの数は２である。
【０１０３】
以下、上記の一部のシーケンスに対応する実際の伝送の模式図について説明する。
【０１０４】
図３ａに示すように、配置モード３では、上り許可が８番目のサブフレームで送信されることが示されるが、上り許可が８番目のサブフレームで送信されるとき、Ｋ５＝４、すなわちＰＵＳＣＨの伝送が２番目のサブフレームで開始し、上りリソースを有する４つのサブフレームにわたって１番目のサブフレームまで継続する。このとき、対応するＰＨＩＣＨのサブフレームのオフセット値は７であり、すなわちＰＨＩＣＨが８番目のサブフレームで受信される。
【０１０５】
図３ｂに示すように、配置モード３では、上り許可が８番目のサブフレームで送信されることが示されるが、上り許可が８番目のサブフレームで送信されるとき、Ｋ５＝４、すなわちＰＵＳＣＨの伝送が２番目のサブフレームで開始し、上りリソースを有する４つのサブフレームにわたって１番目のサブフレームまで継続する。このとき、対応するＰＨＩＣＨのサブフレームのオフセット値は４または６であり、すなわちＰＨＩＣＨが５番目または７番目のサブフレームで受信される。
【０１０６】
図３ｃに示すように、配置モード３では、上り許可が９番目のサブフレームで送信されることが示されるが、上り許可が９番目のサブフレームで送信されるとき、Ｋ５＝４、すなわちＰＵＳＣＨの伝送が３番目のサブフレームで開始し、上りリソースを有する４つのサブフレームにわたって２番目のサブフレームまで継続する。このとき、対応するＰＨＩＣＨのサブフレームのオフセット値は６であり、すなわちＰＨＩＣＨが８番目のサブフレームで受信される。
【０１０７】
図３ｄに示すように、配置モード３では、上り許可が０番目のサブフレームで送信されることが示されるが、上り許可が０番目のサブフレームで送信されるとき、Ｋ５＝４、すなわちＰＵＳＣＨの伝送が４番目のサブフレームで開始し、上りリソースを有する４つのサブフレームにわたって３番目のサブフレームまで継続する。このとき、対応するＰＨＩＣＨのサブフレームのオフセット値は６であり、すなわちＰＨＩＣＨが９番目のサブフレームで受信される。
【０１０８】
図３ｅに示すように、配置モード３では、上り許可が７番目のサブフレームで送信されることが示されるが、上り許可が７番目のサブフレームで送信されるとき、Ｋ５＝４、すなわちＰＵＳＣＨの伝送が１番目のサブフレームで開始し、上りリソースを有する４つのサブフレームにわたって４番目のサブフレームまでに継続する。このとき、対応するＰＨＩＣＨのサブフレームのオフセット値は６であり、すなわちＰＨＩＣＨが０番目のサブフレームで受信される。
【０１０９】
図４aに示すように、配置モード２では、上り許可が０番目あるいは１番目のサブフレームで送信されることが示されるが、上り許可が０番目あるいは１番目のサブフレームで送信されるとき、Ｋ１＝６、Ｋ２＝５、すなわちＰＵＳＣＨの伝送が６番目のサブフレーム（特別サブフレーム）で開始し、上りリソースを有する４つのサブフレームにわたって２番目のサブフレームまでに継続する。このとき、対応するＰＨＩＣＨのサブフレームのオフセット値は６であり、すなわちＰＨＩＣＨが８番目のサブフレームで受信される。
【０１１０】
図４ｂに示すように、配置モード２では、上り許可が３番目のサブフレームで送信されることが示されるが、Ｋ１（あるいはＫ２）＝４、すなわちＰＵＳＣＨの伝送が７番目のサブフレームで開始し、上りリソースを有する４つのサブフレームにわたって６番目のサブフレームまでに継続する。このとき、対応するＰＨＩＣＨのサブフレームのオフセット値は７であり、すなわちＰＨＩＣＨが３番目のサブフレームで受信される。
【０１１１】
図４ｃに示すように、配置モード２では、上り許可が３番目のサブフレームで送信されることが示されるが、Ｋ１（あるいはＫ２）＝４、すなわちＰＵＳＣＨの伝送が７番目のサブフレームで開始し、上りリソースを有する４つのサブフレームにわたって６番目のサブフレームまでに継続する。このとき、対応するＰＨＩＣＨのサブフレームのオフセット値は４であり、すなわちＰＨＩＣＨが０番目のサブフレームで受信される。
【０１１２】
図４ｄに示すように、配置モード２では、上り許可が５番目または６番目のサブフレームで送信されることが示されるが、Ｋ１＝６、Ｋ２＝５、すなわちＰＵＳＣＨの伝送が１番目のサブフレームで開始し、上りリソースを有する４つのサブフレームにわたって７番目のサブフレームまでに継続する。このとき、対応するＰＨＩＣＨのサブフレームのオフセット値は６であり、すなわちＰＨＩＣＨが３番目のサブフレームで受信される。
【０１１３】
図４ｅに示すように、配置モード２では、上り許可が８番目のサブフレームで送信されることが示されるが、Ｋ１（あるいはＫ２）＝４、すなわちＰＵＳＣＨの伝送が２番目のサブフレームで開始し、上りリソースを有する４つのサブフレームにわたって１番目のサブフレームまでに継続する。このとき、対応するＰＨＩＣＨのサブフレームのオフセット値は７であり、すなわちＰＨＩＣＨが８番目のサブフレームで受信される。
【０１１４】
図４ｆに示すように、配置モード２では、上り許可が８番目のサブフレームで送信されることが示されるが、Ｋ１（あるいはＫ２）＝４、すなわちＰＵＳＣＨの伝送が２番目のサブフレームで開始し、上りリソースを有する４つのサブフレームにわたって１番目のサブフレームまでに継続する。このとき、対応するＰＨＩＣＨのサブフレームのオフセット値は４であり、すなわちＰＨＩＣＨが５番目のサブフレームで受信される。
【０１１５】
実際、上記表中のＬは、再送を受けた後にどのフレームから再送を開始する記述であり、Ｋ８、９、１０は、伝送がすでに完了したＰＵＳＣＨの再送の要否をどのフレームで受信するかを示す指示であるが、両方とも、異なる角度から記述された同じものである。
【０１１６】
本開示の他の実施形態に係る送信方法は、図5に示すように、
ネットワーク側受信端末が、バインディング伝送条件が確立された場合に、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送する第２受信ステップ５０１を含む。
【０１１７】
前記伝送方法では、特別サブフレームの上りパイロットタイムスロットに割り当てられる物理ブロックの数Ｎ’＝α*Ｎの丸め結果で、αはズーム係数であり、Ｎは上りサブフレームに割り当てられる物理ブロックの数である。
【０１１８】
前記伝送方法では、αは、上りサブフレームにおけるＰＵＳＣＨ伝送に使用可能なシンボル数と、特別サブフレームの上りパイロットタイムスロットにおけるＰＵＳＣＨ伝送に使用可能なシンボル数との比である。
前記伝送方法では、特別サブフレームの上りパイロットタイムスロットでＰＵＳＣＨを伝送する際の送信電力はＮ’によって決定される。
【０１１９】
前記伝送方法では、周波数領域において、特別サブフレームの上りパイロットタイムスロットにおけるＰＵＳＣＨ伝送の開始位置は、上りサブフレームにおけるＰＵＳＣＨ伝送の開始位置と同じである。
【０１２０】
前記伝送方法では、前記第１開始サブフレームの位置は、現フレーム構造における基準サブフレームの位置および現フレーム構造のサブフレーム配置モードとによって決定される。
【０１２１】
前記伝送方法では、前記基準サブフレームは、上り許可が位置するサブフレーム、または前回送信された物理ハイブリッド自動再送指示チャネルＰＨＩＣＨが位置するサブフレームである。
【０１２２】
前記伝送方法では、前記基準サブフレームが上り許可の位置するサブフレームである場合、サブフレームの配置モード２では、現フレーム構造における基準サブフレームの位置はＮ１であり、前記第１開始サブフレームの位置はＮ１＋Ｋ１であり、Ｎ１が０または５の時、Ｋ１が６であり、Ｎ１が３または８のとき、Ｋ１は４である。
【０１２３】
前記伝送方法では、前記基準サブフレームが上り許可の位置するサブフレームである場合、サブフレームの配置モード２では、現フレーム構造における前記基準サブフレームの位置はＮ２であり、前記第１開始サブフレームの位置はＮ２＋Ｋ２であり、Ｎ２は１または６の時、Ｋ２は５であり、Ｎ２が３または８の時、Ｋ２は４ある。
【０１２４】
前記伝送方法では、前記基準サブフレームが、前回送信された物理ハイブリッド自動再送指示チャネルＰＨＩＣＨの位置するサブフレームである場合、サブフレームの配置モード２では、現フレーム構造における基準サブフレームの位置はＮ３−Ｌ１であり、前記第１開始サブフレームの位置はＮ３＋Ｋ３であり、Ｎ３が０または５の時、Ｌ１が２で、Ｋ３が６であり、Ｎ３が３または８の時、Ｌ１は３または０で、Ｋ３は４である。
【０１２５】
前記伝送方法では、前記基準サブフレームが、受信された物理ハイブリッド自動再送指示チャネルＰＨＩＣＨの位置するサブフレームである場合、サブフレームの配置モード２では、現フレーム構造における前記基準サブフレームの位置はＮ４−Ｌ２であり、前記第１開始サブフレームの位置はＮ４＋Ｋ４であり、Ｎ３が１または６の時、Ｌ２が３で、Ｋ４が５であり、Ｎ４が３または８の時、Ｌ２は３または０で、Ｋ４は４である。
【０１２６】
前記伝送方法では、前記基準サブフレームが上り許可の位置するサブフレームである場合、サブフレームの配置モード３では、現フレーム構造における前記基準サブフレームの位置はＮ５であり、前記第１開始サブフレームの位置はＮ５＋Ｋ５であり、Ｎ５が０、７、８または９の時、Ｋ５が４である。
【０１２７】
前記伝送方法では、前記基準サブフレームが、前回送信された物理ハイブリッド自動再送指示チャネルＰＨＩＣＨの位置するサブフレームである場合、サブフレームの配置モード３では、現フレーム構造における前記基準サブフレームの位置はＮ６−Ｌ３であり、前記第１開始サブフレームの位置はＮ６＋Ｋ６であり、Ｎ６が０または９の時、Ｌ３が１で、Ｋ６が４であり、Ｎ６が７の時、Ｌ３は７で、Ｋ６は４であり、Ｎ６が８の時、Ｌ３は０で、Ｋ６は４である。
【０１２８】
前記伝送方法では、前記基準サブフレームが、前回送信された物理ハイブリッド自動再送指示チャネルＰＨＩＣＨの位置するサブフレームである場合、サブフレームの配置モード３では、現フレーム構造における前記基準サブフレームの位置はＮ７−Ｌ４であり、前記第１開始サブフレームの位置はＮ７＋Ｋ７であり、Ｎ６が０または９の時、Ｌ４が１で、Ｋ７が４であり、Ｎ６が７の時、Ｌ４は７で、Ｋ７は４であり、Ｎ６が８の時、Ｌ４は３または１で、Ｋ７は４である。
【０１２９】
前記伝送方法は、図6に示すように、
前記第２受信ステップで受信された前記ＰＵＳＣＨに対応する物理ハイブリッド自動再送指示チャネルＰＨＩＣＨを第２開始サブフレームにて送信する第２送信ステップ４０２をさらに含む。
【０１３０】
前記伝送方法では、前記第２開始サブフレームの位置は、現フレーム構造における前記バインディングされた複数のサブフレームのうち最後のサブフレームの位置、および前記現フレーム構造のサブフレーム配置モードに従って決定される。
【０１３１】
前記伝送方法では、サブフレームの配置モード２において、現フレーム構造における最後のサブフレームの位置がＮ８であり、前記第１開始サブフレームの位置がＮ８＋Ｋ８であり、Ｎ８が１または６の時、Ｋ８は４または７であり、Ｎ８が２または７の時、Ｋ８は６である。
【０１３２】
前記伝送方法では、サブフレームの配置モード３において、現フレーム構造における最後のサブフレームの位置がＮ９であり、前記第２開始サブフレームの位置がＮ９＋Ｋ９であり、Ｎ９が１の時、Ｋ９は７であり、Ｎ９が２、３または４の時、Ｋ９は６である。
【０１３３】
前記伝送方法では、サブフレームの配置モード３において、現フレーム構造における最後のサブフレームの位置がＮ１０であり、前記第２開始サブフレームの位置がＮ１０＋Ｋ１０であり、Ｎ１０が１の時、Ｋ１０は６または４であり、Ｎ１０が２、３または４の時、Ｋ１０は６である。
【０１３４】
前記伝送方法では、ＨＡＲＱプロセスの数が２である。
【０１３５】
本発明の実施形態に係る伝送装置は、図７に示すように、端末側で使用され、
現在の物理上り共有チャネルＰＵＳＣＨを伝送するための第１開始サブフレームを決定するサブフレーム決定モジュール７１と、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送する第１送信モジュール７２と、を備える。
【０１３６】
前記伝送装置では、前記第１送信モジュールによって特別サブフレームの上りパイロットタイムスロットに割り当てられる物理ブロックの数Ｎ’＝α*Ｎの丸め結果で、αはズーム係数であり、Ｎは上りサブフレームに割り当てられる物理ブロックの数である。
【０１３７】
前記伝送装置では、αは、上りサブフレームにおけるＰＵＳＣＨ伝送に使用可能なシンボル数と、特別サブフレームの上りパイロットタイムスロットにおけるＰＵＳＣＨ伝送に使用可能なシンボル数との比である。
【０１３８】
前記伝送装置では、前記特別サブフレームの上りパイロットタイムスロットで前記ＰＵＳＣＨを伝送する際の送信電力はＮ’によって決定される。
【０１３９】
前記伝送装置では、周波数領域において、特別サブフレームの上りパイロットタイムスロットにおけるＰＵＳＣＨ伝送の開始位置は、上りサブフレームにおけるＰＵＳＣＨ伝送の開始位置と同じである。
【０１４０】
前記伝送装置では、前記第１開始サブフレームの位置は、現フレーム構造内の基準サブフレームの位置および現フレーム構造のサブフレーム配置モードとによって決定される。
【０１４１】
前記伝送装置では、前記基準サブフレームは、上り許可が位置するサブフレーム、または受信された物理ハイブリッド自動再送指示チャネルＰＨＩＣＨが位置するサブフレームである。
【０１４２】
前記伝送装置では、前記基準サブフレームが上り許可の位置するサブフレームである場合、サブフレームの配置モード２では、現フレーム構造における前記基準サブフレームの位置はＮ１であり、前記第１開始サブフレームの位置はＮ１＋Ｋ１であり、Ｎ１が０または５の時、Ｋ１が６であり、Ｎ１が３または８のとき、Ｋ１は４である。
【０１４３】
前記伝送装置では、前記基準サブフレームが上り許可の位置するサブフレームである場合、サブフレームの配置モード２では、現フレーム構造における前記基準サブフレームの位置はＮ２であり、前記第１開始サブフレームの位置はＮ２＋Ｋ２であり、Ｎ２は１または６の時、Ｋ２は５であり、Ｎ２が３または８の時、Ｋ２は４ある。
【０１４４】
前記伝送装置では、前記基準サブフレームが、受信された物理ハイブリッド自動再送指示チャネルＰＨＩＣＨの位置するサブフレームである場合、サブフレームの配置モード２では、現フレーム構造における前記基準サブフレームの位置はＮ３−Ｌ１であり、前記第１開始サブフレームの位置はＮ３＋Ｋ３であり、Ｎ３が０または５の時、Ｌ１が２で、Ｋ３が６であり、Ｎ３が３または８の時、Ｌ１は３または０で、Ｋ３は４である。
【０１４５】
前記伝送装置では、前記基準サブフレームが、受信された物理ハイブリッド自動再送指示チャネルＰＨＩＣＨの位置するサブフレームである場合、サブフレームの配置モード２では、現フレーム構造における前記基準サブフレームの位置はＮ４−Ｌ２であり、前記第１開始サブフレームの位置はＮ４＋Ｋ４であり、Ｎ３が１または６の時、Ｌ２が３で、Ｋ４が５であり、Ｎ４が３または８の時、Ｌ２は３または０で、Ｋ４は４である。
【０１４６】
前記伝送装置では、前記基準サブフレームが上り許可の位置するサブフレームである場合、サブフレームの配置モード３では、現フレーム構造における前記基準サブフレームの位置はＮ５であり、前記第１開始サブフレームの位置はＮ５＋Ｋ５であり、Ｎ５が０、７、８または９の時、Ｋ５が４である。
【０１４７】
前記伝送装置では、前記基準サブフレームが、受信された物理ハイブリッド自動再送指示チャネルＰＨＩＣＨの位置するサブフレームである場合、サブフレームの配置モード３では、現フレーム構造における前記基準サブフレームの位置はＮ６−Ｌ３であり、前記第１開始サブフレームの位置はＮ６＋Ｋ６であり、Ｎ６が０または９の時、Ｌ３が１で、Ｋ６が４であり、Ｎ６が７の時、Ｌ３は７で、Ｋ６は４であり、Ｎ６が８の時、Ｌ３は０で、Ｋ６は４である。
【０１４８】
前記伝送装置では、前記基準サブフレームが、受信された物理ハイブリッド自動再送指示チャネルＰＨＩＣＨの位置するサブフレームである場合、サブフレームの配置モード３では、現フレーム構造における前記基準サブフレームの位置はＮ７−Ｌ４であり、前記第１開始サブフレームの位置はＮ７＋Ｋ７であり、Ｎ６が０または９の時、Ｌ４が１で、Ｋ６が４であり、Ｎ６が７の時、Ｌ４は７で、Ｋ７は４であり、Ｎ６が８の時、Ｌ４は３または１で、Ｋ７は４である。
【０１４９】
前記伝送装置は、図8に示すように、
第１送信モジュールによって伝送されたＰＵＳＣＨの対応する物理ハイブリッド自動再送指示チャネルＰＨＩＣＨを第２開始サブフレームにて受信する第１受信モジュール７３を備える。
【０１５０】
前記伝送装置では、前記第２開始サブフレームの位置は、現フレーム構造における前記バインディングされた複数のサブフレームのうち最後のサブフレームの位置、および前記現フレーム構造のサブフレーム配置モードに従って決定される。
【０１５１】
前記伝送装置では、サブフレームの配置モード２において、現フレーム構造における最後のサブフレームの位置がＮ８であり、前記第１開始サブフレームの位置がＮ８＋Ｋ８であり、Ｎ８が１または６の時、Ｋ８は４または７であり、Ｎ８が２または７の時、Ｋ８は６である。
【０１５２】
前記伝送装置では、サブフレームの配置モード３において、現フレーム構造における最後のサブフレームの位置がＮ９であり、前記第２開始サブフレームの位置がＮ９＋Ｋ９であり、Ｎ９が１の時、Ｋ９は７であり、Ｎ９が２、３または４の時、Ｋ９は６である。
【０１５３】
前記伝送装置では、サブフレームの配置モード３において、現フレーム構造における最後のサブフレームの位置がＮ１０であり、前記第２開始サブフレームの位置がＮ１０＋Ｋ１０であり、Ｎ１０が１の時、Ｋ１０は６または４であり、Ｎ１０が２、３または４の時、Ｋ１０は６である。
【０１５４】
前記伝送装置では、ＨＡＲＱプロセスの数が２である。
【０１５５】
本発明の実施形態に係る伝送装置は、図９に示すように、ネットワーク側で使用され、
受信端末が、バインディング伝送条件が確立された場合に、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送する第２受信モジュール９１を備える。
【０１５６】
前記伝送装置では、特別サブフレームの上りパイロットタイムスロットに割り当てられる物理ブロックの数Ｎ’＝α*Ｎの丸め結果で、αはズーム係数であり、Ｎは上りサブフレームに割り当てられる物理ブロックの数である。
【０１５７】
前記伝送装置では、αは、上りサブフレームにおけるＰＵＳＣＨ伝送に使用可能なシンボル数と、特別サブフレームの上りパイロットタイムスロットにおけるＰＵＳＣＨ伝送に使用可能なシンボル数との比である。
【０１５８】
前記伝送装置では、特別サブフレームの上りパイロットタイムスロットでＰＵＳＣＨを送信する際の送信電力はＮ’によって決定される。
【０１５９】
前記伝送装置では、周波数領域において、特別サブフレームの上りパイロットタイムスロットにおけるＰＵＳＣＨ伝送の開始位置は、上りサブフレームにおけるＰＵＳＣＨ伝送の開始位置と同じである。
【０１６０】
前記伝送装置では、前記第１開始サブフレームの位置は、現フレーム構造における基準サブフレームの位置および現フレーム構造のサブフレーム配置モードとによって決定される。
【０１６１】
前記伝送装置では、前記基準サブフレームは、上り許可が位置するサブフレーム、または前回送信された物理ハイブリッド自動再送指示チャネルＰＨＩＣＨが位置するサブフレームである。
【０１６２】
前記伝送装置では、前記基準サブフレームが上り許可の位置するサブフレームである場合、サブフレームの配置モード２では、現フレーム構造における前記基準サブフレームの位置はＮ１であり、前記第１開始サブフレームの位置はＮ１＋Ｋ１であり、Ｎ１が０または５の時、Ｋ１が６であり、Ｎ１が３または８のとき、Ｋ１は４である。
【０１６３】
前記伝送装置では、前記基準サブフレームが上り許可の位置するサブフレームである場合、サブフレームの配置モード２では、現フレーム構造における前記基準サブフレームの位置はＮ２であり、前記第１開始サブフレームの位置はＮ２＋Ｋ２であり、Ｎ２は１または６の時、Ｋ２は５であり、Ｎ２が３または８の時、Ｋ２は４ある。
【０１６４】
前記伝送装置では、前記基準サブフレームが、前回送信された物理ハイブリッド自動再送指示チャネルＰＨＩＣＨの位置するサブフレームである場合、サブフレームの配置モード２では、現フレーム構造における基準サブフレームの位置はＮ３−Ｌ１であり、前記第１開始サブフレームの位置はＮ３＋Ｋ３であり、Ｎ３が０または５の時、Ｌ１が２で、Ｋ３が６であり、Ｎ３が３または８の時、Ｌ１は３または０で、Ｋ３は４である。
【０１６５】
前記伝送装置では、前記基準サブフレームが、受信された物理ハイブリッド自動再送指示チャネルＰＨＩＣＨの位置するサブフレームである場合、サブフレームの配置モード２では、現フレーム構造における前記基準サブフレームの位置はＮ４−Ｌ２であり、前記第１開始サブフレームの位置はＮ４＋Ｋ４であり、Ｎ３が１または６の時、Ｌ２が３で、Ｋ４が５であり、Ｎ４が３または８の時、Ｌ２は３で、Ｋ４は４である。
【０１６６】
前記伝送装置では、前記基準サブフレームが上り許可の位置するサブフレームである場合、サブフレームの配置モード３では、現フレーム構造における前記基準サブフレームの位置はＮ５であり、前記第１開始サブフレームの位置はＮ５＋Ｋ５であり、Ｎ５が０、７、８または９の時、Ｋ５が４である。
【０１６７】
前記伝送装置では、前記基準サブフレームが、前回送信された物理ハイブリッド自動再送指示チャネルＰＨＩＣＨの位置するサブフレームである場合、サブフレームの配置モード３では、現フレーム構造における前記基準サブフレームの位置はＮ６−Ｌ３であり、前記第１開始サブフレームの位置はＮ６＋Ｋ６であり、Ｎ６が０または９の時、Ｌ３が１で、Ｋ６が４であり、Ｎ６が７の時、Ｌ３は７で、Ｋ６は４であり、Ｎ６が８の時、Ｌ３は０で、Ｋ６は４である。
【０１６８】
前記伝送装置では、前記基準サブフレームが、前回送信された物理ハイブリッド自動再送指示チャネルＰＨＩＣＨの位置するサブフレームである場合、サブフレームの配置モード３では、現フレーム構造における前記基準サブフレームの位置はＮ７−Ｌ４であり、前記第１開始サブフレームの位置はＮ７＋Ｋ７であり、Ｎ６が０または９の時、Ｌ４が１で、Ｋ６が４であり、Ｎ６が７の時、Ｌ４は７で、Ｋ７は４であり、Ｎ６が８の時、Ｌ４は１または３で、Ｋ７は４である。
【０１６９】
前記伝送装置は、図１０に示すように、
前記第２受信ステップで受信された前記ＰＵＳＣＨに対応する物理ハイブリッド自動再送指示チャネルＰＨＩＣＨを第２開始サブフレームにて送信する第２送信モジュール９２をさらに備える。
【０１７０】
前記伝送装置では、前記第２開始サブフレームの位置は、現フレーム構造における前記バインディングされた複数のサブフレームのうち最後のサブフレームの位置、および前記現フレーム構造のサブフレーム配置モードに従って決定される。
【０１７１】
前記伝送装置では、サブフレームの配置モード２において、現フレーム構造における最後のサブフレームの位置がＮ８であり、前記第１開始サブフレームの位置がＮ８＋Ｋ８であり、Ｎ８が１または６の時、Ｋ８は４または７であり、Ｎ８が２または７の時、Ｋ８は６である。
【０１７２】
前記伝送装置では、サブフレームの配置モード３において、現フレーム構造における最後のサブフレームの位置がＮ９であり、前記第２開始サブフレームの位置がＮ９＋Ｋ９であり、Ｎ９が１の時、Ｋ９は７であり、Ｎ９が２、３または４の時、Ｋ９は６である。
【０１７３】
前記伝送装置では、サブフレームの配置モード３において、現フレーム構造における最後のサブフレームの位置がＮ１０であり、前記第２開始サブフレームの位置がＮ１０＋Ｋ１０であり、Ｎ１０が１の時、Ｋ１０は６または４であり、Ｎ１０が２、３または４の時、Ｋ１０は６である。
【０１７４】
前記伝送装置では、ＨＡＲＱプロセスの数が２である。
【０１７５】
本開示の実施形態は、前記の端末側の伝送装置のいずれかを備える移動通信端末をさらに開示する。
【０１７６】
本開示の実施形態は、前記のネットワーク側の伝送装置のいずれかを備える移動通信端末をさらに開示する。
【０１７７】
本明細書では、用語「含む」、「包含」、またはその任意の他の変形は、一連の要素を含むプロセス、方法、物品、または装置が明示的に記載されていない要素や固有の要素もさらに含むように非排他的な包含となることが意図される。「...を含む」という文によって定義される要素は、その要素を含むプロセス、方法、物品、または装置において同じ要素の存在を排除するものではない。
【０１７８】
本開示の実施形態の番号は、単に説明のためのものであり、実施形態の長所と短所を表すものではない。
【０１７９】
上記の実施形態の説明を通して、当業者にとっては、前記実施形態による方法は、ソフトウェアと必要な汎用ハードウェアプラットフォームとによって、またはハードウェアによって実現可能であることは明らかであるが、多くの場合、前者が優れている。このような理解に基づいて、本開示の技術方案は、実質的に、端末装置（携帯電話、コンピュータ、サーバ、エアコン、またはネットワーク装置など）に本開示の各実施形態で説明された方法を実行させるための若干の命令を含む、記憶媒体（ＲＯＭ/ＲＡＭ、ディスク、ＣＤ−ＲＯＭ）に記憶されたソフトウェア製品の形で実施することができる。
【０１８０】
ここで図１１を参照すると、本出願の実施形態の伝送方法および装置を実現するのに適したコンピュータシステム１１００が示されている。
【０１８１】
図１１に示されるように、コンピュータシステム１１００は、読み出し専用メモリ（ＲＯＭ）１１０２に格納されるか、または記憶部１１０８からランダムアクセスメモリ（ＲＡＭ）１１０３にロードされるプログラムに従って、適切な様々な動作および処理を実行させる中央処理装置（ＣＰＵ）１１０１を備える。ＲＡＭ１１０３には、システム１１００の動作に必要な各種のプログラムやデータも格納されている。ＣＰＵ１１０１、ＲＯＭ１１０２、ＲＡＭ１１０３は、バス１１０４を介して相互に接続されている。入出力（Ｉ/Ｏ）インタフェース１１０５もバス１１０４に接続される。
【０１８２】
キーボードや、マウスなどの入力部１１０６と、ハードディスクなどを含む記憶部1108と、陰極線管（ＣＲＴ）、液晶ディスプレイ（ＬＣＤ）など、及びスピーカなどを含む出力部１１０７と、ＬＡＮカードやモデムなどのネットワークインターフェースカードを含む通信部１１０９とは、Ｉ/Ｏインタフェース１１０５に接続されている。通信部１１０９は、インターネット等のネットワークを介した通信処理を行う。ドライバ１１１０は、必要に応じてＩ/Ｏインタフェース１１０５に接続される。磁気ディスク、光ディスク、光磁気ディスク、半導体メモリなどのリムーバブルメディア１１１１を、必要に応じてドライバ１１１０に搭載することにより、記憶されたコンピュータプログラムを記憶部１１０８にロードすることができる。
【０１８３】
特に、本開示の一実施形態では、フローチャートを参照して上述されたプロセスは、コンピュータソフトウェアプログラムとして実装されてもよい。例えば、本開示の一実施形態は、機器可読媒体上に有形に具体化されたコンピュータプログラムを含むコンピュータプログラム製品を含み、コンピュータプログラムは、上記のフローチャートの方法を実行するためのプログラムコードを含む。このような実施形態では、コンピュータプログラムは、通信部１１０９を介してネットワークからダウンロードしてインストールすることができ、および/またはリムーバブルメディア１１１１からインストールすることができる。
【０１８４】
図面のフローチャートおよびブロック図は、本開示の様々な実施形態による、システム、方法、およびコンピュータプログラム製品を実装可能なアーキテクチャ、機能、および動作を示す。ここで、フローチャートまたはブロック図の各ブロックは、所定のロジック機能を実現するための１つ以上の実行可能な命令を含む、モジュール、プログラム、またはコードの一部を表す。また、ブロックとして記載された機能は、図面に記載の順序と異なってもよいことに留意すべきである。例えば、連続して表される２つのブロックは、関連する機能に応じて、実質的に並行して実行されてもよいし、逆の順序で実行されてもよい。また、ブロック図および/またはフローチャートの各ブロック、ならびにブロック図および/またはフローチャートにおけるブロックの組み合わせは、指定された機能または動作を実行する専用のハードウェアベースのシステムで実装するか、あるいは、専用のハードウェアとコンピュータ命令を組み合わせて実装することができることにも留意されたい。
【０１８５】
上記は、本開示の好ましい実施形態であり、当業者は、本開示の原理から逸脱することなく、いくつかの改善および修正を行うことができる。これらも、本開示の保護の範囲とみなされるべきである。
【符号の説明】
【０１８６】
７１ サブフレーム決定モジュール
７２ 第１送信モジュール
７３ 第１受信モジュール
９１ 第２受信モジュール
９２ 第２送信モジュール
１０１  サブフレーム決定ステップ
１０２  第１送信ステップ
１０３  第１受信ステップ
４０２  第２送信ステップ
５０１  第２受信ステップ
１１００   コンピュータシステム
１１０１   中央処理装置（ＣＰＵ）
１１０２   ＲＯＭ
１１０３   ＲＡＭ
１１０４   バス
１１０５   Ｉ／Ｏインタフェース
１１０６   入力部
１１０７   出力部
１１０８   記憶部
１１０９   通信部
１１１０   ドライバ
１１１１   リムーバブルメディア
【図１】
2019522946.tif 000019
【図２】
2019522946.tif 000020
【図３ａ】
2019522946.tif 000021
【図３ｂ】
2019522946.tif 000022
【図３ｃ】
2019522946.tif 000023
【図３ｄ】
2019522946.tif 000024
【図３ｅ】
2019522946.tif 000025
【図４ａ】
2019522946.tif 000026
【図４ｂ】
2019522946.tif 000027
【図４ｃ】
2019522946.tif 000028
【図４ｄ】
2019522946.tif 000029
【図４ｅ】
2019522946.tif 000030
【図４ｆ】
2019522946.tif 000031
【図５】
2019522946.tif 000032
【図６】
2019522946.tif 000033
【図７】
2019522946.tif 000034
【図８】
2019522946.tif 000035
【図９】
2019522946.tif 000036
【図１０】
2019522946.tif 000037
【図１１】
2019522946.tif 000038
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
端末が、現在の物理上り共有チャネル（ＰＵＳＣＨ）を伝送するための第１開始サブフレームを決定することと、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送することと、
を含むことを特徴とする伝送方法。
【請求項２】
請求項１に記載の伝送方法において、
特別サブフレームの上りパイロットタイムスロットに割り当てられる物理ブロックの数Ｎ’＝α*Ｎの丸め結果で、αはズーム係数であり、Ｎは上りサブフレームに割り当てられる物理ブロックの数である
ことを特徴とする伝送方法。
【請求項３】
請求項２に記載の伝送方法において、
前記αは、上りサブフレームにおけるＰＵＳＣＨ伝送に使用可能なシンボル数と、特別サブフレームの上りパイロットタイムスロットにおけるＰＵＳＣＨ伝送に使用可能なシンボル数との比であり、
前記特別サブフレームの上りパイロットタイムスロットで前記ＰＵＳＣＨを伝送する際の送信電力はＮ’によって決定され、
周波数領域において、特別サブフレームの上りパイロットタイムスロットにおけるＰＵＳＣＨ伝送の開始位置は、上りサブフレームにおけるＰＵＳＣＨ伝送の開始位置と同じであり、
前記第１開始サブフレームの位置は、現フレーム構造における基準サブフレームの位置および現フレーム構造のサブフレーム配置モードとによって決定され、
前記基準サブフレームは、上り許可が位置するサブフレーム、または受信された物理ハイブリッド自動再送指示チャネルＰＨＩＣＨが位置するサブフレームである
ことを特徴とする伝送方法。
【請求項４】
請求項３に記載の伝送方法において、
前記基準サブフレームが上り許可の位置するサブフレームである場合、サブフレームの配置モード２では、現フレーム構造における前記基準サブフレームの位置はＮ１であり、前記第１開始サブフレームの位置はＮ１＋Ｋ１であり、Ｎ１が０または５の時、Ｋ１が６であり、Ｎ１が３または８のとき、Ｋ１は４であり、
または、現フレーム構造における前記基準サブフレームの位置はＮ２であり、前記第１開始サブフレームの位置はＮ２＋Ｋ２であり、Ｎ２は１または６の時、Ｋ２は５であり、Ｎ２が３または８の時、Ｋ２は４あり、あるいは、
前記基準サブフレームが、受信された物理ハイブリッド自動再送指示チャネル（ＰＨＩＣＨ）の位置するサブフレームである場合、サブフレームの配置モード２では、現フレーム構造における前記基準サブフレームの位置はＮ３−Ｌ１であり、前記第１開始サブフレームの位置はＮ３＋Ｋ３であり、Ｎ３が０または５の時、Ｌ１が２で、Ｋ３が６であり、Ｎ３が３または８の時、Ｌ１は３または０で、Ｋ３は４であり、
あるいは、現フレーム構造における前記基準サブフレームの位置はＮ４−Ｌ２であり、前記第１開始サブフレームの位置はＮ４＋Ｋ４であり、Ｎ４が１または６の時、Ｌ２が３で、Ｋ４が５であり、Ｎ４が３または８の時、Ｌ２は３または０で、Ｋ４は４であり、あるいは、
前記基準サブフレームが上り許可の位置するサブフレームである場合、サブフレームの配置モード３では、現フレーム構造における前記基準サブフレームの位置はＮ５であり、前記第１開始サブフレームの位置はＮ５＋Ｋ５であり、Ｎ５が０、７、８または９の時、Ｋ５が４であり、あるいは、
前記基準サブフレームが、受信された物理ハイブリッド自動再送指示チャネル（ＰＨＩＣＨ）の位置するサブフレームである場合、サブフレームの配置モード３では、現フレーム構造における前記基準サブフレームの位置はＮ６−Ｌ３であり、前記第１開始サブフレームの位置はＮ６＋Ｋ６であり、Ｎ６が０または９の時、Ｌ３が１で、Ｋ６が４であり、Ｎ６が７の時、Ｌ３は７で、Ｋ６は４であり、Ｎ６が８の時、Ｌ３は０で、Ｋ６は４であり、
あるいは、現フレーム構造における前記基準サブフレームの位置はＮ７−Ｌ４であり、前記第１開始サブフレームの位置はＮ７＋Ｋ７であり、Ｎ７が０または９の時、Ｌ４が１で、Ｋ７が４であり、Ｎ７が７の時、Ｌ４は７で、Ｋ７は４であり、Ｎ７が８の時、Ｌ４は３または１で、Ｋ７は４である
ことを特徴とする伝送方法。
【請求項５】
請求項１〜４のいずれか1項に記載の伝送方法において、
伝送された前記ＰＵＳＣＨの対応する物理ハイブリッド自動再送指示チャネル（ＰＨＩＣＨ）を第２開始サブフレームにて受信することを含む
ことを特徴とする伝送方法。
【請求項６】
請求項５に記載の伝送方法において、
前記第２開始サブフレームの位置は、現フレーム構造における前記バインディングされた複数のサブフレームのうち最後のサブフレームの位置、および前記現フレーム構造のサブフレーム配置モードに従って決定され、
サブフレームの配置モード２では、現フレーム構造における前記最後のサブフレームの位置がＮ８であり、前記第２開始サブフレームの位置がＮ８＋Ｋ８であり、Ｎ８が１または６の時、Ｋ８は４または７であり、Ｎ８が２または７の時、Ｋ８は６であり、あるいは、
サブフレームの配置モード３では、現フレーム構造における前記最後のサブフレームの位置がＮ９であり、前記第２開始サブフレームの位置がＮ９＋Ｋ９であり、Ｎ９が１の時、Ｋ９は７であり、Ｎ９が２、３または４の時、Ｋ９は６であり、
または、現フレーム構造における前記最後のサブフレームの位置がＮ１０であり、前記第２開始サブフレームの位置がＮ１０＋Ｋ１０であり、Ｎ１０が１の時、Ｋ１０は６または４であり、Ｎ１０が２、３または４の時、Ｋ１０は６である
ことを特徴とする伝送方法。
【請求項７】
請求項１〜６のいずれか1項に記載の伝送方法において、
ハイブリッド自動再送請求（ＨＡＲＱ）のプロセスの数が２である
ことを特徴とする伝送方法。
【請求項８】
ネットワーク側の受信端末が、バインディング伝送条件が確立された場合、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送することを、
含むことを特徴とする伝送方法。
【請求項９】
請求項８に記載の伝送方法において、
特別サブフレームの上りパイロットタイムスロットに割り当てられる物理ブロックの数Ｎ’＝α*Ｎの丸め結果で、αはズーム係数であり、Ｎは上りサブフレームに割り当てられる物理ブロックの数である
ことを特徴とする伝送方法。
【請求項１０】
請求項９に記載の伝送方法において、
前記αは、上りサブフレームにおけるＰＵＳＣＨ伝送に使用可能なシンボル数と、特別サブフレームの上りパイロットタイムスロットにおけるＰＵＳＣＨ伝送に使用可能なシンボル数との比であり、
前記特別サブフレームの上りパイロットタイムスロットで前記ＰＵＳＣＨを伝送する際の送信電力はＮ’によって決定され、
周波数領域において、特別サブフレームの上りパイロットタイムスロットにおけるＰＵＳＣＨ伝送の開始位置は、上りサブフレームにおけるＰＵＳＣＨ伝送の開始位置と同じであり、
前記第１開始サブフレームの位置は、現フレーム構造における基準サブフレームの位置および現フレーム構造のサブフレーム配置モードとによって決定され、
前記基準サブフレームは、上り許可が位置するサブフレーム、または前回送信された物理ハイブリッド自動再送指示チャネル（ＰＨＩＣＨ）が位置するサブフレームである
ことを特徴とする伝送方法。
【請求項１１】
請求項１０に記載の伝送方法において、
前記基準サブフレームが上り許可の位置するサブフレームである場合、サブフレームの配置モード２では、現フレーム構造における前記基準サブフレームの位置はＮ１であり、前記第１開始サブフレームの位置はＮ１＋Ｋ１であり、Ｎ１が０または５の時、Ｋ１が６であり、Ｎ１が３または８のとき、Ｋ１は４であり、
または、現フレーム構造における前記基準サブフレームの位置はＮ２であり、前記第１開始サブフレームの位置はＮ２＋Ｋ２であり、Ｎ２は１または６の時、Ｋ２は５であり、Ｎ２が３または８の時、Ｋ２は４であり、あるいは、
前記基準サブフレームが、前回送信された物理ハイブリッド自動再送指示チャネル（ＰＨＩＣＨ）の位置するサブフレームである場合、サブフレームの配置モード２では、現フレーム構造における前記基準サブフレームの位置はＮ３−Ｌ１であり、前記第１開始サブフレームの位置はＮ３＋Ｋ３であり、Ｎ３が０または５の時、Ｌ１が２で、Ｋ３が６であり、Ｎ３が３または８の時、Ｌ１は３または０で、Ｋ３は４であり、
あるいは、現フレーム構造における前記基準サブフレームの位置はＮ４−Ｌ２であり、前記第１開始サブフレームの位置はＮ４＋Ｋ４であり、Ｎ４が１または６の時、Ｌ２が３で、Ｋ４が５であり、Ｎ４が３または８の時、Ｌ２は３または０で、Ｋ４は４であり、あるいは、
前記基準サブフレームが上り許可の位置するサブフレームである場合、サブフレームの配置モード３では、現フレーム構造における前記基準サブフレームの位置はＮ５であり、前記第１開始サブフレームの位置はＮ５＋Ｋ５であり、Ｎ５が０、７、８または９の時、Ｋ５が４であり、あるいは、
前記基準サブフレームが、前回送信された物理ハイブリッド自動再送指示チャネル（ＰＨＩＣＨ）の位置するサブフレームである場合、サブフレームの配置モード３では、現フレーム構造における前記基準サブフレームの位置はＮ６−Ｌ３であり、前記第１開始サブフレームの位置はＮ６＋Ｋ６であり、Ｎ６が０または９の時、Ｌ３が１で、Ｋ６が４であり、Ｎ６が７の時、Ｌ３は７で、Ｋ６は４であり、Ｎ６が８の時、Ｌ３は０で、Ｋ６は４であり、
あるいは、現フレーム構造における前記基準サブフレームの位置はＮ７−Ｌ４であり、前記第１開始サブフレームの位置はＮ７＋Ｋ７であり、Ｎ７が０または９の時、Ｌ４が１で、Ｋ７が４であり、Ｎ７が７の時、Ｌ４は７で、Ｋ７は４であり、Ｎ７が８の時、Ｌ４は３または１で、Ｋ７は４である
ことを特徴とする伝送方法。
【請求項１２】
請求項８〜１１のいずれか1項に記載の伝送方法において、
受信された前記ＰＵＳＣＨに対応する物理ハイブリッド自動再送指示チャネル（ＰＨＩＣＨ）を第２開始サブフレームにて送信することをさらに含む
ことを特徴とする伝送方法。
【請求項１３】
請求項１２に記載の伝送方法において、
前記第２開始サブフレームの位置は、現フレーム構造における前記バインディングされた複数のサブフレームのうち最後のサブフレームの位置、および前記現フレーム構造のサブフレーム配置モードに従って決定され、
サブフレームの配置モード２では、現フレーム構造における前記最後のサブフレームの位置がＮ８であり、前記第２開始サブフレームの位置がＮ８＋Ｋ８であり、Ｎ８が１または６の時、Ｋ８は４または７であり、Ｎ８が２または７の時、Ｋ８は６であり、あるいは、
サブフレームの配置モード３では、現フレーム構造における前記最後のサブフレームの位置がＮ９であり、前記第２開始サブフレームの位置がＮ９＋Ｋ９であり、Ｎ９が１の時、Ｋ９は７であり、Ｎ９が２、３または４の時、Ｋ９は６であり、
または、現フレーム構造における前記最後のサブフレームの位置がＮ１０であり、前記第２開始サブフレームの位置がＮ１０＋Ｋ１０であり、Ｎ１０が１の時、Ｋ１０は６または４であり、Ｎ１０が２、３または４の時、Ｋ１０は６であり、
ハイブリッド自動再送請求（ＨＡＲＱ）のプロセスの数が２である
ことを特徴とする伝送方法。
【請求項１４】
端末側で使用される伝送装置であって、
現在の物理上り共有チャネル（ＰＵＳＣＨ）を伝送するための第１開始サブフレームを決定するサブフレーム決定モジュールと、
バインディング伝送条件が確立された場合、前記第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用して前記ＰＵＳＣＨを伝送する第１送信モジュールと、
を備えることを特徴とする伝送装置。
【請求項１５】
ネットワーク側で使用される伝送装置であって、
受信端末が、バインディング伝送条件が確立された場合に、第１開始サブフレームからの複数のサブフレームをバインディングし、ＰＵＳＣＨの伝送に使用可能な上りパイロットタイムスロットを備えた少なくとも1つの特別サブフレームを含むバインディングされたサブフレームの上りリソースを利用してＰＵＳＣＨを伝送するための第２受信モジュールを備える
ことを特徴とする伝送装置。
【国際調査報告】
2019522946.tif 000039
2019522946.tif 000040
2019522946.tif 000041
2019522946.tif 000042